(57)【特許請求の範囲】
【請求項１】
ハンドオーバ設定方法であって、当該ハンドオーバ設定方法は、
第１一次ネットワークデバイスによって第１メッセージを第２一次ネットワークデバイスへ送信することであり、前記第１メッセージは、ハンドオーバを要求するために使用され、前記第１メッセージは、前記第１一次ネットワークデバイスと二次ネットワークデバイスとの間の能力協調結果を有する、ことと、
前記第１一次ネットワークデバイスによって、前記第２一次ネットワークデバイスから該第２一次ネットワークデバイスのコンフィグレーションを受信することであり、前記第２一次ネットワークデバイスの前記コンフィグレーションは、前記能力協調結果と関連する、ことと、
前記第１一次ネットワークデバイスによって、前記第２一次ネットワークデバイスの前記コンフィグレーションを端末デバイスへ送信することであり、前記第２一次ネットワークデバイスの前記コンフィグレーションは、前記端末デバイスと前記第２一次ネットワークデバイスとの間の接続を確立するために使用される、ことと
を有する、ハンドオーバ設定方法。
【請求項２】
前記能力協調結果は、前記第１一次ネットワークデバイスが利用できるレイヤ２バッファのサイズ及び／又は前記第１一次ネットワークデバイスが利用できる帯域組み合わせを有する、
請求項１に記載のハンドオーバ設定方法。
【請求項３】
前記帯域組み合わせはインデックスに対応し、
前記帯域組み合わせ及び前記インデックスはリストに保持される、
請求項２に記載のハンドオーバ設定方法。
【請求項４】
前記第１一次ネットワークデバイスによって前記第２一次ネットワークデバイスから又は前記二次ネットワークデバイスから前記二次ネットワークデバイスのコンフィグレーションを受信することと、
前記第１一次ネットワークデバイスによって前記二次ネットワークデバイスのコンフィグレーションを前記端末デバイスへ送信することと
を更に有する、
請求項１乃至３のうちいずれか一項に記載のハンドオーバ設定方法。
【請求項５】
前記第１一次ネットワークデバイスによって前記端末デバイスから、前記二次ネットワークデバイスのコンフィグレーションが機能しなくなったことを示す情報を含む第２メッセージを受信することを更に有し、
前記二次ネットワークデバイスのコンフィグレーションは、無線リソース制御（ＲＲＣ）コンフィグレーションであり、前記第２メッセージは、ＲＲＣ接続回復メッセージである、
請求項４に記載のハンドオーバ設定方法。
【請求項６】
前記第１一次ネットワークデバイスによって第３メッセージを前記端末デバイスへ送信することを更に有し、
前記第３メッセージは、シグナリング無線ベアラ（ＳＲＢ）を回復するために使用される、
請求項５に記載のハンドオーバ設定方法。
【請求項７】
ネットワークデバイスであって、
メモリ及びプロセッサを有し、
前記メモリは、コンピュータプログラムを記憶するよう構成され、
前記プロセッサは、前記ネットワークデバイスが請求項１乃至６のうちいずれか一項に記載のハンドオーバ設定方法を実行するように、前記メモリから前記コンピュータプログラムを呼び出し、該コンピュータプログラムを実行するよう構成される、
前記ネットワークデバイス。
【請求項８】
請求項１乃至６のうちいずれか一項に記載のハンドオーバ設定方法を実行するよう構成される１つ以上のモジュールを有する装置。
【請求項９】
請求項１乃至６のうちいずれか一項に記載のハンドオーバ設定方法を実行するよう構成される装置。
【請求項１０】
コンピュータによって実行されるときに、該コンピュータに、請求項１乃至６のうちいずれか一項に記載のハンドオーバ設定方法を実行させる命令又はプログラムコードを記憶するよう構成されるコンピュータ可読媒体。
【請求項１１】
請求項１乃至６のうちいずれか一項に記載のハンドオーバ設定方法をコンピュータに実行させるプログラム。
【請求項１２】
チップシステムであって、
メモリ及びプロセッサを有し、
前記メモリは、前記プロセッサによって実行されるときに、前記チップシステムに、請求項１乃至６のうちいずれか一項に記載のハンドオーバ設定方法を実行するように装置を支援させる命令又はプログラムコードを記憶するよう構成される、
前記チップシステム。
【発明の詳細な説明】
【技術分野】
【０００１】
本願は、その全文を参照により本願に援用される“FAILURE  PROCESSING  METHOD,  HANDOVER  METHOD,  TERMINAL  DEVICE,  AND  NETWORK  DEVICE”と題されて２０１７年５月５日付けで中国国家知識産権局に出願された中国特許出願第２０１７１０３１４１９６．５号の優先権を主張する。
【０００２】
本願は、無線通信技術の分野に、特に、無線通信システムにおける障害処理方法、ハンドオーバ方法、端末デバイス、及びネットワークデバイスに関する。
【背景技術】
【０００３】
図１は、マルチコネクティビティシナリオを示す。１つの端末デバイスが、１つの一次ネットワークデバイスと、少なくとも１つの二次ネットワークデバイス（図中、１つの二次ネットワークデバイスが一例として使用される。）とへ接続される。一次ネットワークデバイス及び少なくとも１つの二次ネットワークデバイスはコアネットワークへ接続される。一次ネットワークデバイスの標準と、二次ネットワークデバイスの標準とは、同じであっても、又は異なってもよい。例えば、２つのネットワークデバイスの標準が異なる場合に、一方はロング・ターム・エボリューション（Long  Term  Evolution，略してＬＴＥ）基地局であり、他方はニュー・ラジオ（New  Radio，略してＮＲ）基地局であり、二次ネットワークデバイスが無線リソース制御（Radio  resource  control，略してＲＲＣ）コンフィグレーションを端末デバイスへ送信する方法、及びＲＲＣコンフィグレーションが機能しなくなると決定すると端末デバイスがフィードバックを実行する方法の両方が、解決される必要がある。
【発明の概要】
【０００４】
本願は、端末が二次ネットワークデバイスのＲＲＣコンフィグレーションを受信し、ＲＲＣコンフィグレーション不良をフィードバックする様態を提供するよう、障害処理方法、ハンドオーバ方法、端末デバイス、及びネットワークデバイスを提供する。
【０００５】
第１の態様に従って、本願は、
端末デバイスによって、二次ネットワークデバイスの第１ＲＲＣコンフィグレーションを前記二次ネットワークデバイスから受信することと、
前記端末デバイスによって第１指示情報を一次ネットワークデバイスへ送信することであり、前記第１指示情報は、前記第１ＲＲＣコンフィグレーションが機能しなくなることを示すために使用される、ことと
を含む障害処理方法を提供する。
【０００６】
本願では、端末デバイスは、二次ネットワークデバイスの第１ＲＲＣコンフィグレーションを二次ネットワークデバイスから直接受信する。第１ＲＲＣコンフィグレーションが機能しなくなる場合に、端末デバイスは、第１ＲＲＣコンフィグレーションが機能しなくなることを示すために第１指示情報を一次ネットワークデバイスへ送信する。端末デバイスが二次ネットワークデバイスからＲＲＣコンフィグレーションを直接受信し得るので、速度が速くなる。その上、第１ＲＲＣコンフィグレーションが機能しなくなる場合に、端末は、第１ＲＲＣコンフィグレーションが機能しなくなることを示すために一片の第１指示情報を一次ネットワークデバイスに報告する。従って、一次ネットワークデバイスは、受信された第１指示情報に従って、第１ＲＲＣコンフィグレーションが機能しなくなることを明らかに決定することができ、次いで、その後の動作をトリガすることができる。
【０００７】
任意に、前記端末デバイスによって第１指示情報を一次ネットワークデバイスへ送信することは、前記端末デバイスによって第１メッセージを前記一次ネットワークデバイスへ送信することを含み、前記第１メッセージは前記第１指示情報を含む。任意に、前記第１メッセージはＲＲＣ接続回復メッセージである。
【０００８】
任意に、前記端末デバイスによって第１指示情報を一次ネットワークデバイスへ送信することは、前記端末デバイスによって、前記端末デバイスの第１ユニットが前記端末デバイスの第２ユニットによって送信された第２指示情報を受信する場合に、前記第１指示情報を前記一次ネットワークデバイスへ送信することを含み、前記第２指示情報は、前記二次ネットワークデバイスから受信された前記第１ＲＲＣコンフィグレーションが機能しなくなることを示すために使用され、前記第１ユニットは、前記一次ネットワークデバイスと前記端末デバイスとの間のＲＲＣ接続を制御するよう構成され、前記第２ユニットは、前記二次ネットワークデバイスと前記端末デバイスとの間のＲＲＣ接続を制御するよう構成される。任意に、前記第１ユニットは第１ＲＲＣエンティティであり、前記第２ユニットは第２ＲＲＣエンティティである。
【０００９】
任意に、前記端末デバイスは、新しいＲＲＣコンフィグレーションを前記二次ネットワークデバイスから受信する。
【００１０】
第２の態様に従って、本願の実施形態は端末デバイスを提供し、該端末デバイスは、第１の態様で提供されるいずれかの方法を実施し得る。
【００１１】
可能な設計において、端末デバイスは、第１の態様のいずれかの方法における端末デバイスの動きを実装する機能を備え、機能は、ハードウェアによって実装されても、又は対応するソフトウェアを実行することでハードウェアによって実装されてもよい。ハードウェア又はソフトウェアは、上記の機能に対応する１つ以上のモジュールを含む。任意に、端末デバイスはユーザ装置であってよい。端末デバイスは、二次ネットワークデバイスの第１ＲＲＣコンフィグレーションを二次ネットワークデバイスから直接受信するよう構成され得る。第１ＲＲＣコンフィグレーションが機能しなくなる場合に、端末デバイスは、第１ＲＲＣコンフィグレーションが機能しなくなることを示すために第１指示情報を一次ネットワークデバイスへ送信する。端末デバイスが二次ネットワークデバイスからＲＲＣコンフィグレーションを直接受信し得るので、速度が速くなる。その上、第１ＲＲＣコンフィグレーションが機能しなくなる場合に、端末は、第１ＲＲＣコンフィグレーションが機能しなくなることを示すために一片の第１指示情報を一次ネットワークデバイスに報告する。従って、一次ネットワークデバイスは、受信された第１指示情報に従って、第１ＲＲＣコンフィグレーションが機能しなくなることを明らかに決定することができ、次いで、その後の動作をトリガすることができる。
【００１２】
可能な設計において、端末デバイスの構造は、プロセッサ及びトランシーバを含み、プロセッサは、端末デバイスが第１の態様のいずれかの方法における対応する機能を実行すること、例えば、方法においてデータ及び／又は情報を生成、受信、又は処理することをサポートするよう構成される。トランシーバは、端末デバイスと他のエンティティとの間の通信をサポートし、第１の態様のいずれかの方法における命令又は情報を他のエンティティへ送信するか又はそれから受信するよう構成される。端末デバイスは、メモリを更に含んでもよい。メモリは、プロセッサへ結合されるよう構成され、メモリは、端末デバイスに必要なプログラム命令及びデータを記憶する。
【００１３】
第３の態様に従って、本願は、
端末デバイスによって、二次ネットワークデバイスの第２ＲＲＣコンフィグレーションを一次ネットワークデバイスから受信することと、
前記端末デバイスによって、前記第２ＲＲＣコンフィグレーションが機能しなくなる場合に、第２メッセージを前記一次ネットワークデバイスへ送信することであり、前記第２メッセージは、ＲＲＣ接続回復を要求するために使用される、ことと
を含む障害処理方法を提供する。
【００１４】
本願では、端末デバイスは、二次ネットワークデバイスの第２ＲＲＣコンフィグレーションを一次ネットワークデバイスから受信する。第２ＲＲＣコンフィグレーションが機能しなくなる場合に、端末デバイスは、ＲＲＣ接続回復を要求するよう第２メッセージを一次ネットワークデバイスへ送信して、端末デバイスが要求を通じて正確なＲＲＣコンフィグレーションを取得することができることを可能にする。
【００１５】
任意に、前記第２メッセージは第３指示情報を含み、該第３指示情報は、前記第２ＲＲＣコンフィグレーションが機能しなくなることを示すために使用される。
【００１６】
任意に、前記端末デバイスによって、前記第２ＲＲＣコンフィグレーションが機能しなくなる場合に、第２メッセージを前記一次ネットワークデバイスへ送信することは、前記端末デバイスによって、前記端末デバイスの第１ユニットが前記端末デバイスの第２ユニットによって送信された第４指示情報を受信する場合に、前記第２メッセージを前記一次ネットワークデバイスへ送信することを含み、前記第４指示情報は、前記一次ネットワークデバイスから受信された前記第２ＲＲＣコンフィグレーションが機能しなくなることを示すために使用され、前記第１ユニットは、前記一次ネットワークデバイスと前記端末デバイスとの間のＲＲＣ接続を制御するよう構成され、前記第２ユニットは、前記二次ネットワークデバイスと前記端末デバイスとの間のＲＲＣ接続を制御するよう構成される。任意に。前記第１ユニットは第１ＲＲＣエンティティであり、前記第２ユニットは第２ＲＲＣエンティティである。
【００１７】
任意に、前記端末デバイスは、前記一次ネットワークデバイスの第３ＲＲＣコンフィグレーションを前記一次ネットワークデバイスから受信する。前記第３ＲＲＣコンフィグレーションが機能しなくなる場合に、前記端末デバイスは、次の：前記第２ＲＲＣコンフィグレーションを実行するのを中止する動作、前記第２ＲＲＣコンフィグレーションを解放する動作、及び前記二次ネットワークデバイスの無線ベアラをサスペンドさせる動作、のうちの少なくとも１つを実行する。
【００１８】
第４の態様に従って、本願の実施形態は端末デバイスを提供し、該端末デバイスは、第３の態様で提供されるいずれかの方法を実施し得る。
【００１９】
可能な設計において、端末デバイスは、第３の態様のいずれかの方法における端末デバイスの動きを実装する機能を備え、機能は、ハードウェアによって実装されても、又は対応するソフトウェアを実行することでハードウェアによって実装されてもよい。ハードウェア又はソフトウェアは、上記の機能に対応する１つ以上のモジュールを含む。任意に、端末デバイスはユーザ装置であってよい。端末デバイスは、二次ネットワークデバイスの第２ＲＲＣコンフィグレーションを一次ネットワークデバイスから受信するよう構成され得る。第２ＲＲＣコンフィグレーションが機能しなくなる場合に、端末デバイスは、ＲＲＣ接続回復を要求するよう第２メッセージを一次ネットワークデバイスへ送信して、端末デバイスが要求を通じて正確なＲＲＣコンフィグレーションを取得することができることを可能にする。
【００２０】
可能な設計において、端末デバイスの構造は、プロセッサ及びトランシーバを含み、プロセッサは、端末デバイスが第３の態様のいずれかの方法における対応する機能を実行すること、例えば、方法においてデータ及び／又は情報を生成、受信、又は処理することをサポートするよう構成される。トランシーバは、端末デバイスと他のエンティティとの間の通信をサポートし、第３の態様のいずれかの方法における命令又は情報を他のエンティティへ送信するか又はそれから受信するよう構成される。端末デバイスは、メモリを更に含んでもよい。メモリは、プロセッサへ結合されるよう構成され、メモリは、端末デバイスに必要なプログラム命令及びデータを記憶する。
【００２１】
第５の態様に従って、本願は、
一次ネットワークデバイスによって端末デバイスから第１指示情報を受信することであり、前記第１指示情報は、二次ネットワークデバイスの第１ＲＲＣコンフィグレーションが機能しなくなることを示すために使用され、前記第１ＲＲＣコンフィグレーションは、前記端末デバイスによって前記二次ネットワークデバイスから受信される、ことと、
前記一次ネットワークデバイスによって第１要求メッセージを前記二次ネットワークデバイスへ送信することであり、前記第１要求メッセージは、ＲＲＣコンフィグレーションを更新するように前記二次ネットワークデバイスに要求するか又は前記二次ネットワークデバイスを解放するように要求するために使用される、ことと
を含む障害処理方法を提供する。
【００２２】
任意に、前記第１要求メッセージは前記第１指示情報を含む。
【００２３】
第６の態様に従って、本願の実施形態はネットワークデバイスを提供し、該ネットワークデバイスは、第５の態様で提供されるいずれかの方法を実施し得る。
【００２４】
可能な設計において、ネットワークデバイスは、第５の態様のいずれかの方法における一次ネットワークデバイスの動きを実装する機能を備え、機能は、ハードウェアによって実装されても、又は対応するソフトウェアを実行することでハードウェアによって実装されてもよい。ハードウェア又はソフトウェアは、上記の機能に対応する１つ以上のモジュールを含む。任意に、ネットワークデバイスは、基地局、伝送受信ポイント、などであってよい。ネットワークデバイスは、第１指示情報を端末デバイスから受信するよう構成されてよく、第１指示情報は、第２ネットワークデバイスの第１ＲＲＣコンフィグレーションが機能しなくなることを示すために使用される。一次ネットワークデバイスは、第１要求メッセージを二次ネットワークデバイスへ送信し、第１要求メッセージは、ＲＲＣコンフィグレーションを更新するように二次ネットワークデバイスに要求するか又は二次ネットワークデバイスを解放するように要求するために使用される。
【００２５】
可能な設計において、ネットワークデバイスの構造は、プロセッサ及びトランシーバを含み、プロセッサは、ネットワークデバイスが第５の態様のいずれかの方法における対応する機能を実行すること、例えば、方法においてデータ及び／又は情報を生成、受信、又は処理することをサポートするよう構成される。トランシーバは、ネットワークデバイスと他のエンティティとの間の通信をサポートし、第５の態様のいずれかの方法における命令又は情報を他のエンティティへ送信するか又はそれから受信するよう構成される。ネットワークデバイスは、メモリを更に含んでもよい。メモリは、プロセッサへ結合されるよう構成され、メモリは、ネットワークデバイスに必要なプログラム命令及びデータを記憶する。
【００２６】
第７の態様に従って、本願は、
一次ネットワークデバイスによって、二次ネットワークデバイスの第２ＲＲＣコンフィグレーションが機能しなくなる場合に、端末デバイスから第２メッセージを受信することであり、前記第２メッセージは、ＲＲＣ接続回復を示すために使用され、前記第２ＲＲＣコンフィグレーションは、前記端末デバイスによって前記一次ネットワークデバイスから受信される、ことと、
前記一次ネットワークデバイスによって第６メッセージを前記端末デバイスへ送信することであり、前記第６メッセージは、シグナリング無線ベアラ（Signaling  Radio  bearer，略してＳＲＢ）を回復するために使用される、ことと
を含む障害処理方法を提供する。
【００２７】
任意に、前記第２メッセージは第３指示情報を含み、該第３指示情報は、前記第２ＲＲＣコンフィグレーションが機能しなくなることを示すために使用される。
【００２８】
第８の態様に従って、本願の実施形態はネットワークデバイスを提供し、該ネットワークデバイスは、第７の態様で提供されるいずれかの方法を実施し得る。
【００２９】
可能な設計において、ネットワークデバイスは、第７の態様のいずれかの方法における一次ネットワークデバイスの動きを実装する機能を備え、機能は、ハードウェアによって実装されても、又は対応するソフトウェアを実行することでハードウェアによって実装されてもよい。ハードウェア又はソフトウェアは、上記の機能に対応する１つ以上のモジュールを含む。任意に、ネットワークデバイスは、基地局、伝送受信ポイント、などであってよい。ネットワークデバイスは、二次ネットワークデバイスの第２ＲＲＣコンフィグレーションが機能しなくなる場合に、第２メッセージを端末デバイスから受信するよう構成されてよく、第２メッセージは、ＲＲＣ接続回復を示すために使用される。一次ネットワークデバイスは、第６メッセージを端末デバイスへ送信し、第６メッセージは、ＳＲＢを回復するために使用される。
【００３０】
可能な設計において、ネットワークデバイスの構造は、プロセッサ及びトランシーバを含み、プロセッサは、ネットワークデバイスが第７の態様のいずれかの方法における対応する機能を実行すること、例えば、方法においてデータ及び／又は情報を生成、受信、又は処理することをサポートするよう構成される。トランシーバは、ネットワークデバイスと他のエンティティとの間の通信をサポートし、第７の態様のいずれかの方法における命令又は情報を他のエンティティへ送信するか又はそれから受信するよう構成される。ネットワークデバイスは、メモリを更に含んでもよい。メモリは、プロセッサへ結合されるよう構成され、メモリは、ネットワークデバイスに必要なプログラム命令及びデータを記憶する。
【００３１】
第９の態様に従って、本願は、
第１一次ネットワークデバイスによって第３メッセージを第２一次ネットワークデバイスへ送信することであり、前記第３メッセージは、ハンドオーバを要求するために使用され、前記第３メッセージは、前記第１一次ネットワークデバイスと二次ネットワークデバイスとの間の能力協調結果を含む、ことと、
前記第１一次ネットワークデバイスによって、前記第２一次ネットワークデバイスによって送信される該第２一次ネットワークデバイスのコンフィグレーションを受信することであり、前記第２一次ネットワークデバイスの前記コンフィグレーションは、前記能力協調結果と関連する、ことと
を含むハンドオーバ方法を提供する。
【００３２】
本願では、第１一次ネットワークデバイスは、第１一次ネットワークデバイスと二次ネットワークデバイスとの間の能力協調結果を第２一次ネットワークデバイスへ直接送信し、それにより、第２一次ネットワークデバイスは、二次ネットワークデバイスのコンフィグレーションを取得及び理解することなしに、能力協調結果に基づきコンフィグレーションを生成し、そして、第２一次ネットワークデバイスがハンドオーバプロセスにおいてコンフィグレーションを成功裏に生成することができることは、可能にされ得る。
【００３３】
任意に、前記能力協調結果は、前記第１一次ネットワークデバイスによって使用され得るレイヤ２バッファのサイズ及び／又は前記第１一次ネットワークデバイスによって使用され得る帯域組み合わせを含む。
【００３４】
任意に、前記第１一次ネットワークデバイスは、前記二次ネットワークデバイスのコンフィグレーションを受信し
前記第１一次ネットワークデバイスは、前記第２一次ネットワークデバイスのコンフィグレーション及び前記二次ネットワークデバイスのコンフィグレーションを端末デバイスへ送信する。
【００３５】
任意に、前記第１一次ネットワークデバイスによって前記二次ネットワークデバイスのコンフィグレーションを受信することは、前記第１一次ネットワークデバイスによって、前記二次ネットワークデバイスのコンフィグレーションを前記第２一次ネットワークデバイスから受信することを含む。
【００３６】
任意に、前記第１一次ネットワークデバイスは、前記二次ネットワークデバイスのコンフィグレーションが機能しなくなる場合に、前記端末デバイスから第４メッセージを受信し、前記第４メッセージは、ＲＲＣ接続回復を示すために使用される。
【００３７】
第１０の態様に従って、本願の実施形態はネットワークデバイスを提供し、該ネットワークデバイスは、第９の態様で提供されるいずれかの方法を実施し得る。
【００３８】
可能な設計において、ネットワークデバイスは、第９の態様のいずれかの方法における第１一次ネットワークデバイスの動きを実装する機能を備え、機能は、ハードウェアによって実装されても、又は対応するソフトウェアを実行することでハードウェアによって実装されてもよい。ハードウェア又はソフトウェアは、上記の機能に対応する１つ以上のモジュールを含む。任意に、ネットワークデバイスは、基地局、伝送受信ポイント、などであってよい。ネットワークデバイスは、第１一次ネットワークデバイスと二次ネットワークデバイスとの間の能力協調結果を第２一次ネットワークデバイスへ直接送信するよう構成されてよく、それにより、第２一次ネットワークデバイスは、二次ネットワークデバイスのコンフィグレーションを取得及び理解することなしに、能力協調結果に基づきコンフィグレーションを生成し、そして、第２一次ネットワークデバイスがハンドオーバプロセスにおいてコンフィグレーションを成功裏に生成することができることは、可能にされ得る。
【００３９】
可能な設計において、ネットワークデバイスの構造は、プロセッサ及びトランシーバを含み、プロセッサは、ネットワークデバイスが第９の態様のいずれかの方法における対応する機能を実行すること、例えば、方法においてデータ及び／又は情報を生成、受信、又は処理することをサポートするよう構成される。トランシーバは、ネットワークデバイスと他のエンティティとの間の通信をサポートし、第９の態様のいずれかの方法における命令又は情報を他のエンティティへ送信するか又はそれから受信するよう構成される。ネットワークデバイスは、メモリを更に含んでもよい。メモリは、プロセッサへ結合されるよう構成され、メモリは、ネットワークデバイスに必要なプログラム命令及びデータを記憶する。
【００４０】
第１１の態様に従って、本願の実施形態は、通信デバイスであって、第１ユニット及び第２ユニットを含み、
前記通信デバイスによって二次ネットワークデバイスから受信される二次ネットワークデバイスの第１ＲＲＣコンフィグレーションが機能しなくなることを前記第２ユニットが決定する場合に、該第２ユニットは第２指示情報を生成し、該第２指示情報は、前記第１ＲＲＣコンフィグレーションが機能しなくなることを示すために使用され、
前記第２ユニットは、前記第２指示情報を前記第２ユニットへ送信し、
前記第１ユニットは、前記一次ネットワークデバイスと前記通信デバイスとの間のＲＲＣ接続を制御するよう構成され、前記第２ユニットは、前記二次ネットワークデバイスと前記通信デバイスとの間のＲＲＣ接続を制御するよう構成される、
前記通信デバイスを提供する。
【００４１】
任意に、前記第１ユニットは第１ＲＲＣエンティティであり、前記第２ユニットは第２ＲＲＣエンティティである。
【００４２】
第１２の態様に従って、本願の実施形態は、通信デバイスであって、第１ユニット及び第２ユニットを含み、
前記通信デバイスによって一次ネットワークデバイスから受信される二次ネットワークデバイスの第２ＲＲＦコンフィグレーションが機能しなくなることを前記第２ユニットが決定する場合に、該第２ユニットは第４指示情報を生成し、該第４指示情報は、前記第２ＲＲＣコンフィグレーションが機能しなくなることを示すために使用され、
前記第２ユニットは、前記第４指示情報を前記第１ユニットへ送信し、
前記第１ユニットは、前記一次ネットワークデバイスと前記通信デバイスとの間のＲＲＣ接続を制御するよう構成され、前記第２ユニットは、前記二次ネットワークデバイスと前記通信デバイスとの間のＲＲＣ接続を制御するよう構成される、
前記通信デバイスを提供する。
【００４３】
任意に、前記第１ユニットは第１ＲＲＣエンティティであり、前記第２ユニットは第２ＲＲＣエンティティである。
【００４４】
第１３の態様に従って、本願の実施形態は、通信デバイスであって、第１ユニット及び第２ユニットを含み、
前記通信デバイスによって一次ネットワークデバイスから受信される二次ネットワークデバイスの第３ＲＲＦコンフィグレーションが機能しなくなることを前記第１ユニットが決定する場合に、該第１ユニットは第５指示情報を生成し、該第５指示情報は、前記第３ＲＲＣコンフィグレーションが機能しなくなることを示すために使用され、
前記第１ユニットは、前記第５指示情報を前記第２ユニットへ送信し、
前記第１ユニットは、前記一次ネットワークデバイスと前記通信デバイスとの間のＲＲＣ接続を制御するよう構成され、前記第２ユニットは、前記二次ネットワークデバイスと前記通信デバイスとの間のＲＲＣ接続を制御するよう構成される、
前記通信デバイスを提供する。
【００４５】
任意に、前記第１ユニットは第１ＲＲＣエンティティであり、前記第２ユニットは第２ＲＲＣエンティティである。
【００４６】
第１４の態様に従って、本願の実施形態は、通信デバイスであって、第１ユニット及び第２ユニットを含み、
前記第２ユニットは、障害指示情報を前記第１ユニットへ送信し、前記障害指示情報は、前記通信デバイスと二次ネットワークデバイスとの間のリンクが機能しなくなることを示すために使用され、
前記第１ユニットは、前記障害指示情報を受信し、
前記第１ユニットは、前記一次ネットワークデバイスと前記通信デバイスとの間のＲＲＣ接続を制御するよう構成され、前記第２ユニットは、前記二次ネットワークデバイスと前記通信デバイスとの間のＲＲＣ接続を制御するよう構成される、
前記通信デバイスを提供する。
【００４７】
前記障害指示情報は特に、次の：タイマが切れる場合、再送回数が最大回数を超える場合、ランダムアクセスが失敗する場合、二次セルグループ変更が失敗する場合、キーが機能しなくなる場合、チェックが失敗する場合、インテグリティ保護が機能しなくなる場合、前記二次ネットワークデバイスから受信される二次ネットワークコンフィグレーションが機能しなくなる場合、及び前記一次ネットワークデバイスから受信される二次ネットワークコンフィグレーションが機能しなくなる場合、のうちのいずれか１つを示すために使用される。
【００４８】
任意に、前記第１ユニットは第１ＲＲＣエンティティであり、前記第２ユニットは第２ＲＲＣエンティティである。
【００４９】
第１０乃至第１４の態様における通信デバイスは、例えば、端末デバイス又はベースバンドチップであってよい。
【００５０】
第１５の態様に従って、本願の実施形態は、第２の態様で提供される端末デバイスによって使用されるコンピュータソフトウェア命令を記憶するよう構成され、該コンピュータソフトウェア命令が第１の態様における方法を実行するよう設計されたプログラムを含むか、あるいは、第４の態様で提供されるネットワークデバイスによって使用されるコンピュータソフトウェア命令を記憶するよう構成され、該コンピュータソフトウェア命令が第３の態様における方法を実行するよう設計されたプログラムを含むコンピュータ記憶媒体を提供する。
【００５１】
第１６の態様に従って、本願の実施形態は、第６の態様で提供される端末デバイスによって使用されるコンピュータソフトウェア命令を記憶するよう構成され、該コンピュータソフトウェア命令が第５の態様における方法を実行するよう設計されたプログラムを含むか、あるいは、第８の態様で提供されるネットワークデバイスによって使用されるコンピュータソフトウェア命令を記憶するよう構成され、該コンピュータソフトウェア命令が第７の態様における方法を実行するよう設計されたプログラムを含むか、あるいは、第１０の態様で提供される端末デバイスによって使用されるコンピュータソフトウェア命令を記憶するよう構成され、該コンピュータソフトウェア命令が第９の態様における方法を実行するよう設計されたプログラムを含むコンピュータ記憶媒体を提供する。
【００５２】
第１７の態様に従って、本願は更に、命令を含み、コンピュータで実行される場合に、該コンピュータが第１の態様又は第３の態様に従う方法を実行することを可能にされるコンピュータプログラム製品を提供する。当該コンピュータプログラム製品はコンピュータ実行命令を含み、該コンピュータ実行命令はコンピュータ可読記憶媒体に記憶される。端末デバイスのプロセッサは、コンピュータ可読記憶媒体からコンピュータ実行命令を読み出し得る。プロセッサはコンピュータ実行命令を実行して、それにより、端末デバイスは、本願の実施形態で提供される上記の方法において端末デバイスによって実行されるステップを実行し、あるいは、ステップに対応する機能ユニットが、端末デバイスのために配置される。
【００５３】
第１８の態様に従って、本願は更に、命令を含み、コンピュータで実行される場合に、該コンピュータが第５の態様又は第７の態様に従う方法を実行することを可能にされるコンピュータプログラム製品を提供する。当該コンピュータプログラム製品はコンピュータ実行命令を含み、該コンピュータ実行命令はコンピュータ可読記憶媒体に記憶される。ネットワークデバイスのプロセッサは、コンピュータ可読記憶媒体からコンピュータ実行命令を読み出し得る。プロセッサはコンピュータ実行命令を実行して、それにより、ネットワークデバイスは、本願の実施形態で提供される上記の方法において一次ネットワークデバイスによって実行されるステップを実行し、あるいは、ステップに対応する機能ユニットが、ネットワークデバイスのために配置される。
【００５４】
第１９の態様に従って、本願は更に、命令を含み、コンピュータで実行される場合に、該コンピュータが第９の態様に従う方法を実行することを可能にされるコンピュータプログラム製品を提供する。当該コンピュータプログラム製品はコンピュータ実行命令を含み、該コンピュータ実行命令はコンピュータ可読記憶媒体に記憶される。ネットワークデバイスのプロセッサは、コンピュータ可読記憶媒体からコンピュータ実行命令を読み出し得る。プロセッサはコンピュータ実行命令を実行して、それにより、ネットワークデバイスは、本願の実施形態で提供される上記の方法において第１一次ネットワークデバイスによって実行されるステップを実行し、あるいは、ステップに対応する機能ユニットが、ネットワークデバイスのために配置される。
【００５５】
第２０の態様に従って、本願は更に、チップシステムを提供する。チップシステムは、端末デバイスが上記の態様における機能を実装すること、例えば、上記の方法においてデータ及び／又は情報を生成、受信、又は処理することを支援するよう構成されたプロセッサを含む。可能な設計において、チップシステムはメモリを更に含む。メモリは、端末デバイスに必要なプログラム命令及びデータを記憶するよう構成される。チップシステムはチップを含んでも、あるいは、チップ及び他のディスクリート素子を含んでもよい。
【００５６】
第２１の態様に従って、本願は更に、チップシステムを提供する。チップシステムは、ネットワークデバイスが上記の態様における機能を実装すること、例えば、上記の方法においてデータ及び／又は情報を生成、受信、又は処理することを支援するよう構成されたプロセッサを含む。可能な設計において、チップシステムはメモリを更に含む。メモリは、ネットワークデバイスに必要なプログラム命令及びデータを記憶するよう構成される。チップシステムはチップを含んでも、あるいは、チップ及び他のディスクリート素子を含んでもよい。
【図面の簡単な説明】
【００５７】
【図１】本願に従うマルチコネクティビティの概略図である。
【図２（ａ）】本願に従うネットワークの構造図である。
【図２（ｂ）】本願に従う他のネットワークの構造図である。
【図３（ａ）】本願に従う障害処理方法のフローチャートである。
【図３（ｂ）】本願に従う他の障害処理方法のフローチャートである。
【図４】本願に従うハンドオーバ方法のフローチャートである。
【図５】本願に従うネットワークデバイスの略構造図である。
【図６（ａ）】本願に従う端末デバイスの略構造図である。
【図６（ｂ）】本願に従う端末デバイスの略構造図である。
【図７】本願に従う装置の略構造図である。
【図８】本願に従う端末デバイスの略構造図である。
【図９】本願に従うネットワークデバイスの略構造図である。
【図１０】本願に従う通信デバイスの略構造図である。
【発明を実施するための形態】
【００５８】
以下は、本願の実施形態における添付の図面を参照して、本願の実施形態における技術的解決法について明りょうに且つ完全に記載する。
【００５９】
本願の実施形態で記載されるネットワークアーキテクチャ及びサービスシナリオは、本願の実施形態における技術的解決法をより明りょうに記載することを目的としているが、本願の実施形態で提供される技術的解決法への限定を構成しない。当業者は知っているかもしれないが、ネットワークアーキテクチャが発展し、新しいサービスシナリオが現れる場合に、本願の実施形態で提供される技術的解決法は同様の技術的課題にも適用可能である。
【００６０】
本願は、既存のセルラー通信システム、例えば、グローバル・システム・フォー・モバイル・コミュニケーションズ（Global  System  for  Mobile  Communication，略してＧＳＭ）、広帯域符号分割多重アクセス（Wideband  Code  Division  Multiple  Access，略してＷＣＤＭＡ）システム、及びロング・ターム・エボリューション（Long  Term  Evolution，略してＬＴＥ）システムなどのシステムに適用されてもよく、あるいは、第５世代モバイル通信システム（5rd-Generation，略して５Ｇ）システム、例えば、ニュー・ラジオ（New  Radio，略してＮＲ）を使用するアクセスネットワーク、クラウド無線アクセスネットワーク（Cloud  Radio  Access  Network，略してＣＲＡＮ）、及び５Ｇコアネットワークへ接続されるＬＴＥアクセスネットワークなどの通信システムに適用可能であり、あるいは、ワイヤレス・フィデリティ（Wireless-Fidelity，略してＷｉＦｉ）システム、ワールドワイド・インターオペラビリティ・フォー・マイクロウェーブ・アクセス（Worldwide  Interoperability  for  Microwave  Access，略してＷｉＭＡＸ）システム、及び第３世代パートナーシップ・プロジェクト（3rd  Generation  Partnership  Project，略して３ＧＰＰ）における他の関連するセルラーシステムなどの同様の無線通信システムに拡張されてもよく、あるいは、直交周波数分割多重化（Orthogonal  Frequency  Division  Multiplexing，略してＯＦＤＭ）アクセス技術を使用する他の無線通信システムに適用可能であるとともに、将来の無線通信システムにも適用可能である。
【００６１】
理解の容易のために、本願におけるいくつかの技術が以下で記載される。
【００６２】
（１）ユーザ装置（User  Equipment，略してＵＥ）又は端末（Terminal）とも称される端末デバイス（Terminal  device）は、ユーザに音声及び／又はデータ接続を提供するデバイス、例えば、無線接続機能若しくは無線通信機能を備える携帯用デバイス、車載デバイス、装着型デバイス、コンピューティングデバイス、若しくは制御デバイス、又は無線モデムへ接続された他のプロセッシングデバイス、及び様々な形態での移動局（Mobile  station，略してＭＳ）である。一般的な端末デバイスは、携帯電話機（phone）、タブレットコンピュータ（pad）、ノートブック（notebook）コンピュータ、パームトップコンピュータ、モバイル・インターネット・デバイス（mobile  internet  device，略してＭＩＤ）、及びスマートウォッチ、スマートバンド、又はペドメータなどの装着型デバイスを含む。記載の容易のために、本願では、上記のデバイスは、端末デバイスと総称される。
【００６３】
（２）ネットワークデバイスは、例えば、基地局であってよく、端末デバイスを無線ネットワークへ接続するデバイスである。ネットワークデバイスは、進化型ノードＢ（evolved  Node  B，略してｅＮＢ）、無線ネットワークコントローラ（radio  network  controller，略してＲＮＣ）、ノードＢ（Node  B，略してＮＢ）基地局コントローラ（Base  Station  Controller，略してＢＳＣ）ベース・トランシーバ局（Base  Transceiver  Station，略してＢＴＳ）、ホームｅＮｏｄｅＢ（例えば、Home  evolved  NodeB又はHome  Node  B，略してＨＮＢ）、ベースバンド・ユニット（Baseband  Unit，略してＢＢＵ）、ニュー・ラジオＮｏｄｅＢ（g  NodeB，略してｇＮＢ）、伝送受信点（transmission  reception  point，略してＴＲＰ）、送信点（Transmitting  point，略してＴＰ）、移動交換局、などを含むがこれらに限られない。その上、ネットワークデバイスは、Ｗｉ−Ｆｉアクセス・ポイント（Access  Point，略してＡＰ）などを含んでもよい。無線チャネルを通じて端末デバイスと直接通信する装置は、通常は基地局である。基地局は、マクロ基地局、ミクロ基地局、中継局、アクセス・ポイント、遠隔無線ユニット（Remote  Radio  Unit，略してＲＲＵ）、などの様々な形態を含むことができる。確かに、無線通信機能を備える他のネットワークデバイスが、端末デバイスと無線通信してもよい。これは、本願において一意的に制限されない。異なるシステムでは、基地局の機能を備えるデバイスは異なる名称を有することがある。例えば、ＬＴＥネットワークでは、デバイスは進化型ノードＢ（evolved  NodeB，略してｅＮＢ又はｅＮｏｄｅＢ）と呼ばれ、第３世代（the  3rd  Generation，３Ｇ）ネットワークでは、デバイスはノードＢ（Node  B）と呼ばれる。
【００６４】
本願における語「及び／又は」は、関連する事物について記載する関連関係のみを記載し、３つの関係が存在する可能性があることを表す。例えば、Ａ及び／又はＢは、次の３つの場合：Ａのみが存在する場合、Ａ及びＢの両方が存在する場合、及びＢのみが存在する場合を表し得る。その上、本明細書中の文字「／」は、一般に、関連する事物の間の“論理和”関係を示す。
【００６５】
以下は、添付の図面を参照して、本願の実施形態で提供される解決法について更に詳細に記載する。
【００６６】
図２（ａ）は、本願に従うネットワークの構造図である。端末デバイスは、一次ネットワークデバイス及び少なくとも１つの二次ネットワークデバイス（１つの二次ネットワークデバイスが図中一例として使用される。）と相互作用してよく、端末デバイスは第１ユニット及び第２ユニットを含む。第１ユニットは第１ＲＲＣエンティティ、第１ＲＲＣ機能ユニット、又は第１ＲＲＣユニットであってよく、一次ネットワークデバイスと端末デバイスとの間のＲＲＣ接続を制御するよう構成される。第２ユニットは第２ＲＲＣエンティティ、第２ＲＲＣ機能ユニット、又は第２ＲＲＣユニットであってよく、二次ネットワークデバイスと端末デバイスとの間のＲＲＣ接続を制御するよう構成される。
【００６７】
例えば、コアネットワークは進化型パケットコア（Evolved  Packet  Core，略してＥＰＣ）である。一次ネットワークデバイスはＬＴＥ基地局（例えば、ｅＮＢ）であり、制御プレーン接続及びユーザプレーン接続が端末デバイスのために一次ネットワークとＥＰＣとの間で構築され得る。二次ネットワークデバイスはＮＲ基地局（例えば、ｇＮＢ）であり、ユーザプレーン接続のみが二次ネットワークデバイスとＥＰＣとの間で構築され得る。第１ユニットはＬＴＥ  ＲＲＣエンティティであり、ＬＴＥ無線リソースを管理することに関与する。第２ユニットはＮＲ  ＲＲＣエンティティであり、ＮＲ無線リソースを管理することに関与する。その上、例えば、コアネットワークと一次ネットワークデバイスとの間ではＳ１インターフェイスが使用されてよく、コアネットワークと二次ネットワークデバイスとの間ではＳ１インターフェイスが使用されてよく、一次ネットワークデバイスと二次ネットワークデバイスとの間でＸ２インターフェイスが使用されてよい。
【００６８】
他の例として、コアネットワークは、次世代コア（Next  Generation  Core，略してＮＧＣ）、５Ｇコアネットワーク（5G  Core  Network，略して５Ｇ−ＣＮ）、又は５Ｇコア（5G  Core，略して５ＧＣ）である。コアネットワークがＮＧＣである例が、以下で説明のために使用される。一次ネットワークデバイスはＬＴＥ基地局（例えば、ｅＮＢ）であり、制御プレーン接続及びユーザプレーン接続が端末デバイスのために一次ネットワークデバイスとＮＧＣとの間で構築され得る。二次ネットワークデバイスはＮＲ基地局（例えば、ｇＮＢ）であり、ユーザプレーン接続のみが二次ネットワークデバイスとＮＧＣとの間に構築され得る。第１ユニットはＬＴＥ  ＲＲＣエンティティであり、ＬＴＥ無線リソースを管理することに関与する。第２ユニットはＮＲ  ＲＲＣエンティティであり、ＮＲ無線リソースを管理することに関与する。その上、例えば、コアネットワークと一次ネットワークデバイスとの間では次世代（Next  Generation，略してＮＧ）インターフェイスが使用されてよく、コアネットワークと二次ネットワークデバイスとの間ではＮＧインターフェイスが使用されてよく、一次ネットワークデバイスと二次ネットワークデバイスとの間ではＸｎインターフェイス（すなわち、次世代インターフェイス）が使用されてよい。
【００６９】
他の例として、コアネットワークは、ＮＧＣ、５Ｇ−ＣＮ、又は５ＧＣである。コアネットワークがＮＧＣである例が、以下で説明のために使用される。一次ネットワークデバイスはＮＲ基地局（例えば、ｇＮＢ）であり、制御プレーン接続及びユーザプレーン接続が端末デバイスのために一次ネットワークデバイスとＮＧＣとの間で構築され得る。二次ネットワークデバイスはＬＴＥ基地局（例えば、ｅＮＢ）であり、ユーザプレーン接続のみが二次ネットワークデバイスとＮＧＣとの間に構築され得る。第１ユニットはＮＲ  ＲＲＣエンティティであり、ＮＲ無線リソースを管理することに関与する。第２ユニットはＬＴＥ  ＲＲＣエンティティであり、ＬＴＥ無線リソースを管理することに関与する。その上、例えば、コアネットワークと一次ネットワークデバイスとの間ではＮＧインターフェイスが使用されてよく、コアネットワークと二次ネットワークデバイスとの間ではＮＧインターフェイスが使用されてよく、一次ネットワークデバイスと二次ネットワークデバイスとの間ではＸｎインターフェイス（すなわち、次世代インターフェイス）が使用されてよい。
【００７０】
確かに、代替的に、コアネットワークは他のコアネットワークであってもよく、一次ネットワークデバイスは、上記の様々なタイプのネットワークデバイスなどの他のネットワークデバイスであってもよく、二次ネットワークデバイスも、上記の様々なタイプのネットワークデバイスなどの他のネットワークデバイスであってもよい。
【００７１】
本願では、一次ネットワークデバイス及び二次ネットワークデバイスの標準は、同じであっても、又は異なってもよい。以下は、主として、一次ネットワークデバイス及び二次ネットワークデバイスの標準が異なっている場合について説明する。例えば、一次ネットワークデバイスがＬＴＥ基地局であり且つ二次ネットワークデバイスがＮＲ基地局であるか、あるいは、一次ネットワークデバイスがＮＲ基地局であり且つ二次ネットワークデバイスがＬＴＥ基地局である。その上、記載の簡単のために、本願では、第１ユニットは一次ネットワークデバイスと同じ標準を有し、第２ユニットは二次ネットワークデバイスと同じ標準を有する。例えば、一次ネットワークデバイスがＮＲ基地局であり且つ二次ネットワークデバイスがＬＴＥ基地局であるとき、第１ユニットは、ＮＲ無線リソースを管理することに関与し、例えば、第１ユニットはＮＲ  ＲＲＣエンティティであり、第２ユニットは、ＬＴＥ無線リソースを管理することに関与し、例えば、第２ユニットはＬＴＥ  ＲＲＣエンティティである。他の例として、一次ネットワークデバイスがＬＴＥ基地局であり且つ二次ネットワークデバイスがＮＲ基地局であるとき、第１ユニットは、ＬＴＥ無線リソースを管理することに関与し、例えば、第１ユニットはＬＴＥ  ＲＲＣエンティティであり、第２ユニットは、ＮＲ無線リソースを管理することに関与し、例えば、第２ユニットはＮＲ  ＲＲＣエンティティである。
【００７２】
端末デバイスは、データを送信するために一次ネットワークデバイスのエアインターフェイス及び二次ネットワークデバイスのエアインターフェイスの両方から無線リソースを取得してよく、それによって伝送レートが増加する。
【００７３】
本願では、第１ユニット及び第２ユニットは、それらの各々の標準でのコンフィグレーションに関与し、互いのコンフィグレーションを把握しない。
【００７４】
一次ネットワークデバイス及び二次ネットワークデバイスは、互いに独立している。ネットワーク側の視点から、一次ネットワークデバイス及び二次ネットワークデバイスは夫々がＲＲＣを有し、完全なＲＲＣメッセージを生成し得る。図２（ａ）に示されるシナリオで、二次ネットワークデバイスによって生成されるＲＲＣメッセージ（二次ネットワークデバイスのＲＲＣコンフィグレーションを運ぶ。）は、一次ネットワークデバイスへ送られ、一次ネットワークデバイスは、二次ネットワークデバイスのＲＲＣメッセージをコンテナ（container）として使用し、コンテナを一次ネットワークデバイスのＲＲＣメッセージに付加し、一次ネットワークデバイスのＲＲＣメッセージを端末デバイスへ送る。すなわち、端末デバイスは、一次ネットワークデバイスから一次ネットワークデバイスのＲＲＣメッセージを受信し、ＲＲＣメッセージは、一次ネットワークデバイスのＲＲＣコンフィグレーションと、二次ネットワークデバイスのＲＲＣコンフィグレーションとを含み、一次ネットワークデバイスのＲＲＣメッセージ内の二次ネットワークデバイスのＲＲＣコンフィグレーションは、二次ネットワークデバイスによって、二次ネットワークデバイスのＲＲＣメッセージを使用することによって一次ネットワークデバイスへ送られる。
【００７５】
本願で共同コンフィグレーションとも呼ばれる、図２（ａ）に示されるＲＲＣコンフィグレーション様態において、二次ネットワークデバイスは、二次ネットワークデバイスのＲＲＣコンフィグレーションを一次ネットワークデバイスへ送り、次いで、一次ネットワークデバイスは、二次ネットワークデバイスのＲＲＣコンフィグレーションを端末デバイスへ送り、その上、一次ネットワークデバイスは更に、一次ネットワークデバイスのＲＲＣコンフィグレーションを端末デバイスへ送ることができる。すなわち、共同コンフィグレーションのシナリオでは、二次ネットワークデバイスのＲＲＣコンフィグレーションは、一次ネットワークデバイスを使用することによって端末デバイスへ送られる必要がある。
【００７６】
図２（ｂ）は、本願に従う他のネットワークの構造図である。図２（ｂ）のコアネットワーク、一次ネットワークデバイス、二次ネットワークデバイス、第１ユニット、及び第２ユニットは、図２（ａ）のコアネットワーク、一次ネットワークデバイス、二次ネットワークデバイス、第１ユニット、及び第２ユニットと同じタイプ及び同じ相互関係を有している。詳細については、上記の説明を参照されたい。図２（ｂ）と図２（ａ）との間の主な相違点は、次の通りである。図２（ｂ）では、二次ネットワークデバイスがＲＲＣメッセージを直接端末デバイスへ送ることができ、このとき、ＲＲＣメッセージは二次ネットワークデバイスのＲＲＣコンフィグレーションを運び、そして、一次ネットワークデバイスはＲＲＣメッセージを端末デバイスへ送り、このとき、ＲＲＣメッセージは一次ネットワークデバイスのＲＲＣコンフィグレーションを運ぶ。従って、本願で独立コンフィグレーションとも呼ばれる、図２（ｂ）に示されるＲＲＣコンフィグレーション様態において、一次ネットワークデバイスのＲＲＣコンフィグレーション及び二次ネットワークデバイスのＲＲＣコンフィグレーションは、一次ネットワークデバイス及び二次ネットワークデバイスによって夫々独立して端末デバイスへ送られる。
【００７７】
以下は、夫々図２（ａ）及び図２（ｂ）を参照して本願で与えられている２つの障害処理方法について詳細に記載する。
【００７８】
図３（ａ）は、本願に従う障害処理方法のフローチャートである。方法は、図２（ａ）に示されるシナリオ、すなわち、共同コンフィグレーションのシナリオに対応し、具体的に次のステップを含む。
【００７９】
ステップ１０１：一次ネットワークデバイスが二次ネットワークデバイスの第２ＲＲＣコンフィグレーションを端末デバイスへ送る。
【００８０】
ＲＲＣコンフィグレーションは、ネットワークデバイスのＲＲＣエンティティによって生成されるコンフィグレーション情報であり、端末デバイスを設定するために使用される。例えば、ＲＲＣコンフィグレーションは、プロトコルレイヤのコンフィグレーションを含み、制限なしに、パケットデータ収束プロトコル（Packet  Data  Convergence  Protocol，略してＰＤＣＰ）コンフィグレーション、無線リンク制御（Radio  Link  Control，略してＲＬＣ）コンフィグレーション、媒体アクセス制御（Media  Access  Control，略してＭＡＣ）コンフィグレーション、及び物理レイヤコンフィグレーションを含む。
【００８１】
任意に、二次ネットワークデバイスは、二次ネットワークデバイスの第２ＲＲＣコンフィグレーションを二次ネットワークデバイスのＲＲＣメッセージに付加し、二次ネットワークデバイスのＲＲＣメッセージを一次ネットワークデバイスへ送る。二次ネットワークデバイスのＲＲＣメッセージを受信した後、一次ネットワークデバイスは、二次ネットワークデバイスのＲＲＣコンフィグレーションを一次ネットワークデバイスのＲＲＣメッセージに付加し、一次ネットワークデバイスのＲＲＣメッセージを端末デバイスへ送る。任意に、一次ネットワークデバイスのＲＲＣメッセージは、一次ネットワークデバイスの第３ＲＲＣコンフィグレーションを更に運ぶ。
【００８２】
ステップ１０２：端末デバイスが一次ネットワークデバイスから二次ネットワークデバイスの第２ＲＲＣコンフィグレーションを受け取る。
【００８３】
ステップ１０３：第２ＲＲＣコンフィグレーションが機能しなくなる場合に、端末デバイスが第２メッセージを一次ネットワークデバイスへ送る。
【００８４】
第２メッセージは、ＲＲＣ接続回復を要求するために使用される。任意に、第２メッセージは、ＲＲＣ接続回復メッセージである。任意に、第２メッセージは第３指示情報を含み、第３指示情報は、第２ＲＲＣコンフィグレーションが機能しなくなることを示すために使用される。
【００８５】
可能な実施において、図２（ａ）を参照すると、端末デバイスの第２ユニットは、端末デバイスによって一次ネットワークデバイスから受け取られる二次ネットワークデバイスの第２ＲＲＣコンフィグレーションが機能しなくなると第２ユニットが決定する場合に、第４指示情報を生成し、このとき、第４指示情報は、第２ＲＲＣコンフィグレーションが機能しなくなることを示すために使用される。次いで、第２ユニットは第４指示情報を第１ユニットへ送る。端末デバイスは、第２ユニットによって送られた第４指示情報を第１ユニットが受け取る場合に、第２メッセージを一次ネットワークデバイスへ送る。第２ユニットは、端末デバイスの第２ＲＲＣエンティティであってよい。
【００８６】
他の可能な実施において、図２（ａ）を参照すると、端末デバイスの第２ユニットは、端末デバイスによって一次ネットワークデバイスから受け取られる二次ネットワークデバイスの第２ＲＲＣコンフィグレーションが成功すると第２ユニットが決定する場合に、第７指示情報を生成し、このとき、第７指示情報は、第２ＲＲＣコンフィグレーションが成功することを示すために使用される。次いで、第２ユニットは第７指示情報を第１ユニットへ送る。端末デバイスは、第２ユニットによって送られた第７指示情報を第１ユニットが受け取る場合に、第５メッセージを一次ネットワークデバイスへ送り、このとき、第５メッセージは、第２ＲＲＣコンフィグレーションが成功することを示すために使用される。第２ユニットは、端末デバイスの第２ＲＲＣエンティティであってよい。
【００８７】
ステップ１０４：一次ネットワークデバイスが端末デバイスから第２メッセージを受け取る。
【００８８】
ステップ１０５：一次ネットワークデバイスが第６メッセージを端末デバイスへ送り、このとき、第６メッセージはＳＲＢを回復するために使用される。
【００８９】
ステップ１０１からステップ１０５で、端末デバイスは、一次ネットワークデバイスから二次ネットワークデバイスの第２ＲＲＣコンフィグレーションを受け取り、第２ＲＲＣコンフィグレーションが機能しなくなることを端末デバイスが決定するとき、具体的に言えば、第２ＲＲＣコンフィグレーションが機能しなくなることを端末デバイスの第２ユニットが決定し、第４指示情報を第１ユニットへ送るとき、端末デバイスは、ＲＲＣ接続回復を要求するために第２メッセージを一次ネットワークデバイスへ送り、第２メッセージを受信した後に一次ネットワークデバイスはＲＲＣ接続回復メッセージを送る。
【００９０】
任意に、ステップ１０１からステップ１０５のうちいずれか１つの前又は後に、方法は、
端末デバイスが一次ネットワークデバイスから一次ネットワークデバイスの第３ＲＲＣコンフィグレーションを受け取り、第３ＲＲＣコンフィグレーションが機能しなくなる場合に、端末デバイスが次の動作：第２ＲＲＣコンフィグレーションを実行するのを止める動作、第２ＲＲＣコンフィグレーションを解放する動作、及び二次ネットワークデバイスの無線ベアラをサスペンドさせる動作、のうちの少なくとも１つを実行する
ことを更に含む。
【００９１】
任意に、端末デバイスが前記次の動作のうちの少なくとも１つを実行することは、第１ユニットによって送られた第５指示情報を第２ユニットが受け取る場合に、端末デバイスが前記次の動作のうちの少なくとも１つを実行することを含み、このとき、第５指示情報は、第３ＲＲＣコンフィグレーションが機能しなくなることを示すために使用される。
【００９２】
具体的に言えば、端末デバイスが一次ネットワークデバイスから一次ネットワークデバイスの第３ＲＲＣコンフィグレーションを更に受け取り、そして、第３ＲＲＣコンフィグレーションが機能しなくなる場合に、第１ユニットは、第３ＲＲＣコンフィグレーションが機能しなくなることを示すために第５指示情報を第２ユニットへ送り、端末デバイスは更に、第２ＲＲＣコンフィグレーションを実行するのを中止し、且つ／あるいは、第２ＲＲＣコンフィグレーションを解放し、且つ／あるいは、二次ネットワークデバイスの無線ベアラをサスペンドさせる。
【００９３】
その上、第３ＲＲＣコンフィグレーションが機能しなくなる場合に、端末デバイスは更に、次の動作を実行する必要がある：
端末デバイスは、第７メッセージを一次ネットワークデバイスへ送り、このとき、第７メッセージは、ＲＲＣ接続回復を要求するために使用される。任意に、第７メッセージは第７指示情報を含み、第７指示情報は、端末デバイスによって一次ネットワークデバイスから受け取られる一次ネットワークデバイスの第３ＲＲＣコンフィグレーションが機能しなくなることを示すために使用される。
【００９４】
図３（ｂ）は、本願に従う他の障害処理方法のフローチャートである。方法は、図２（ｂ）に示されるシナリオ、すなわち、独立コンフィグレーションのシナリオに対応し、具体的に次のステップを含む。
【００９５】
ステップ２０１：端末デバイスが二次ネットワークデバイスから二次ネットワークデバイスの第１ＲＲＣコンフィグレーションを受け取る。
【００９６】
ステップ２０２：端末デバイスが第１指示情報を一次ネットワークデバイスへ送る。
【００９７】
第１指示情報は、第１ＲＲＣコンフィグレーションが機能しなくなることを示すために使用される。
【００９８】
任意に、端末デバイスが第１指示情報を一次ネットワークデバイスへ送ることは、端末デバイスが第１メッセージを一次ネットワークデバイスへ送ることを含み、このとき、第１メッセージは第１指示情報を含む。
【００９９】
任意に、図３（ｂ）を参照すると、端末デバイスが第１指示情報を一次ネットワークデバイスへ送ることは、端末デバイスの第２ユニットによって送られた第２指示情報を端末デバイスの第１ユニットが受け取る場合に、端末デバイスが第１指示情報を一次ネットワークデバイスへ送ることを含み、このとき、第２指示情報は、二次ネットワークデバイスから受け取られた第１ＲＲＣコンフィグレーションが機能しなくなることを示すために使用される。すなわち、第１ＲＲＣコンフィグレーションが機能しなくなると第２ユニットが決定する場合に、第２ユニットは第２指示情報を第１ユニットへ送り、そして、端末デバイスは、第２ユニットによって送られた第２指示情報を第１ユニットが受け取る場合に、第１指示情報を一次ネットワークデバイスへ送る。
【０１００】
ステップ２０３：一次ネットワークデバイスが端末デバイスから第１指示情報を受け取る。
【０１０１】
ステップ２０４：一次ネットワークデバイスが第１要求メッセージを二次ネットワークデバイスへ送る。
【０１０２】
第１要求メッセージは、ＲＲＣコンフィグレーションを更新するように二次ネットワークデバイスに要求するために又は二次ネットワークデバイスを解放するように要求するために使用される。
【０１０３】
ＲＲＣコンフィグレーションを更新した後、二次ネットワークデバイスは、新しいＲＲＣコンフィグレーションを一次ネットワークデバイスへ送る。一次ネットワークデバイスは、新しいＲＲＣコンフィグレーションを端末デバイスへ送る。すなわち、端末デバイスは、一次ネットワークデバイスから新しいＲＲＣコンフィグレーションを受け取る。
【０１０４】
ＲＲＣ接続回復プロセスは、この場合に一次ネットワークデバイスとユーザ装置との間で実行される点が留意されるべきである。
【０１０５】
代替的に、ＲＲＣコンフィグレーションを更新した後、二次ネットワークデバイスは、新しいＲＲＣコンフィグレーションを直接端末デバイスへ送る。すなわち、端末デバイスは、二次ネットワークデバイスから新しいＲＲＣコンフィグレーションを受け取る。この方法では、端末デバイスは、二次ネットワークデバイスから直接新しいＲＲＣコンフィグレーションを受け取るため、速度は、一次ネットワークデバイスから二次ネットワークデバイスの新しいＲＲＣコンフィグレーションを受け取る方法での速度よりも速い。
【０１０６】
任意に、第１要求メッセージは、第１指示情報を含む。
【０１０７】
ステップ２０４の代替の解決法では、ステップ２０４は、代替的に、ステップ２０４ａと置換されてもよい。
【０１０８】
ステップ２０４ａ：一次ネットワークデバイスが二次ネットワークデバイスを解放する。
【０１０９】
二次ネットワークデバイスを解放した後、一次ネットワークデバイスは更に、新しい二次ネットワークデバイスへ再接続されてもよい。
【０１１０】
任意に、本願では、図３（ａ）及び図３（ｂ）に示される実施方法が、理解するために全体として使用されてもよい。具体的に言えば、端末デバイスは、二次ネットワークデバイスから二次ネットワークデバイスの第１ＲＲＣコンフィグレーションを受け取ってよく、更には、一次ネットワークデバイスから二次ネットワークデバイスの第２ＲＲＣコンフィグレーションも受け取ってよい。
【０１１１】
端末デバイスと二次ネットワークデバイスとの間のリンクが機能しなくなると端末デバイスが決定する場合に、第２ユニットは障害指示情報を第１ユニットへ送る。障害指示情報は、リンク障害の具体的な原因を示す。例えば、障害指示情報は、具体的に、タイマが切れること、再送回数が最大回数を超えること、ランダムアクセスが失敗すること、二次セルグループ変更が失敗すること、キーが機能しなくなること、チェックが失敗すること、インテグリティ保護が機能しなくなること、二次ネットワークデバイスから受信される二次ネットワークコンフィグレーションが機能しなくなること、又は一次ネットワークデバイスから受信される二次ネットワークコンフィグレーションが機能しなくなることを示すために使用される。
【０１１２】
物理レイヤ問題が二次ネットワークデバイスの一次セル内で起こることを端末デバイスが検出するとき、タイマは起動され得る。再送回数は、ＲＬＣレイヤで再送を実行する回数であっても、あるいは、他のレイヤで再送を実行する回数であってもよい。ランダムアクセスが失敗することは、端末デバイスによる二次ネットワークデバイスのセルへのランダムアクセスが失敗することを示し得る。二次セルグループ変更が失敗することは、端末デバイスが二次セルグループを変更しそこなうことを示し得る。二次セルグループは、端末デバイスにサービスを提供する二次ネットワークデバイスのセルグループであることができる。キーが機能しなくなることは、端末デバイスと二次ネットワークデバイスとの間のキー不一致のために端末デバイスが正常に暗号化及び／又は解読を実行することができないことを示し得る。チェックが失敗することは、端末デバイス及び二次ネットワークデバイスによって実行される照合が失敗することを示し得る。インテグリティ保護が機能しなくなることは、端末デバイスと二次ネットワークデバイスとの間のインテグリティ保護が機能しなくなることを示し得る。詳細な内容については、３ＧＰＰ  ＴＳ  ３６．３３１及び３ＧＰＰ  ＴＳ  ３３．４０１の関連する内容を参照されたい。上記の説明は単に一例として使用されており、上記の説明に対する限定はない。
【０１１３】
二次ネットワークデバイスから受け取られた二次ネットワークコンフィグレーションが機能しなくなることを示すために障害指示情報が使用される場合に、障害指示情報は、上記の第２指示情報である。
【０１１４】
一次ネットワークデバイスから受け取られた二次ネットワークコンフィグレーションが機能しなくなることを示すために障害指示情報が使用される場合に、障害指示情報は、上記の第４指示情報である。
【０１１５】
任意に、障害指示情報は、端末デバイスと二次ネットワークデバイスとの間のリンクが機能しなくなると第２ユニットが決定する場合に第２ユニットによって生成されてもよい。代替的に、端末デバイスの第３ユニットが、端末デバイスと二次ネットワークデバイスとの間のリンクが機能しなくなると決定するときに第６指示情報を生成してもよく、このとき、第６指示情報は、端末デバイスと二次ネットワークデバイスとの間のリンクが機能しなくなることを示すために使用され、第３ユニットは、第６指示情報を第２ユニットへ送り、第６指示情報を受け取った後に第２ユニットは障害指示情報を生成する。代替的に、第３ユニットは、端末デバイスと二次ネットワークデバイスとの間のリンクが機能しなくなると決定するときに障害指示情報を生成し、次いで、第１ユニットへ直接障害指示情報を送ってもよい。
【０１１６】
第３ユニットは、端末デバイスの第２ＭＡＣエンティティ、第２ＲＬＣエンティティ、第２物理レイヤユニット、又はアプリケーションレイヤエンティティであってよく、第２ＭＡＣエンティティ、第２ＲＬＣエンティティ、又は第２物理レイヤユニットは、二次ネットワークデバイスと同じ標準を有している。
【０１１７】
第１ユニットが障害指示情報を受け取った後、端末デバイスは、タイマが切れることを障害指示情報が示す場合に、指示情報を一次ネットワークデバイスへ送り、このとき、指示情報は、タイマが切れることを示すために使用される。指示情報を受け取った後、一次ネットワークデバイスはＲＲＣリンクを回復しない。
【０１１８】
第１ユニットが障害指示情報を受け取った後、端末デバイスは、再送回数が最大回数を超えることを障害指示情報が示す場合に、指示情報を一次ネットワークデバイスへ送り、このとき、指示情報は、再送回数が最大回数を超えることを示すために使用される。指示情報を受け取った後、一次ネットワークデバイスはＲＲＣリンクを回復しない。
【０１１９】
第１ユニットが障害指示情報を受け取った後、端末デバイスは、ランダムアクセスが失敗することを障害指示情報が示す場合に、指示情報を一次ネットワークデバイスへ送り、このとき、指示情報は、ランダムアクセスが失敗することを示すために使用される。指示情報を受け取った後、一次ネットワークデバイスはＲＲＣリンクを回復しない。
【０１２０】
第１ユニットが障害指示情報を受け取った後、端末デバイスは、二次セルグループ変更が失敗することを障害指示情報が示す場合に、指示情報を一次ネットワークデバイスへ送り、このとき、指示情報は、二次セルグループ変更が失敗することを示すために使用される。指示情報を受け取った後、一次ネットワークデバイスはＲＲＣリンクを回復しない。
【０１２１】
第１ユニットが障害指示情報を受け取った後、端末デバイスは、キーが機能しなくなることを障害指示情報が示す場合に、指示情報を一次ネットワークデバイスへ送り、このとき、指示情報は、キーが機能しなくなることを示すために使用される。指示情報を受け取った後、一次ネットワークデバイスはＲＲＣリンクを回復しない。
【０１２２】
第１ユニットが障害指示情報を受け取った後、端末デバイスは、チェックが失敗することを障害指示情報が示す場合に、指示情報を一次ネットワークデバイスへ送り、このとき、指示情報は、チェックが失敗することを示すために使用される。指示情報を受け取った後、一次ネットワークデバイスはＲＲＣリンクを回復しない。
【０１２３】
第１ユニットが障害指示情報を受け取った後、端末デバイスは、インテグリティ保護が機能しなくなることを障害指示情報が示す場合に、指示情報を一次ネットワークデバイスへ送り、このとき、指示情報は、インテグリティ保護が機能しなくなることを示すために使用される。指示情報を受け取った後、一次ネットワークデバイスはＲＲＣリンクを回復しない。
【０１２４】
第１ユニットが障害指示情報を受け取った後、端末デバイスは、二次ネットワークデバイスから受け取られた二次ネットワークコンフィグレーションが機能しなくなることを障害指示情報が示す場合に、第１指示情報を一次ネットワークデバイスへ送り、このとき、第１指示情報は、二次ネットワークデバイスから受け取られた二次ネットワークコンフィグレーションが機能しなくなること（すなわち、上記の第１ＲＲＣコンフィグレーションが機能しなくなること）を示すために使用される。第１指示情報を受け取った後、一次ネットワークデバイスはＲＲＣリンクを回復しない。
【０１２５】
第１ユニットが障害指示情報を受け取った後、端末デバイスは、一次ネットワークデバイスから受け取られた二次ネットワークコンフィグレーションが機能しなくなることを障害指示情報が示す場合に、第２メッセージを一次ネットワークデバイスへ送り、このとき、第２メッセージは、ＲＲＣ接続回復を要求するために使用される。第２メッセージを受け取った後、一次ネットワークデバイスはＲＲＣリンクを回復する。任意に、第２メッセージは第３指示情報を更に含み、第３指示情報は、一次ネットワークデバイスから受け取られた二次ネットワークコンフィグレーションが機能しなくなること（すなわち、上記の第２ＲＲＣコンフィグレーションが機能しなくなること）を示すために使用される。
【０１２６】
本願で与えられている上記の実施形態において、本願の実施形態で提供される障害処理方法は、各ネットワーク要素の視点から及びネットワーク要素間のインタラクションの視点から夫々記載される。上記の機能を実装するよう、端末デバイス（例えば、ＵＥ）及びネットワークデバイス（例えば、基地局）などのネットワーク要素は、各機能を実行するための対応するハードウェア構造及び／又はソフトウェアモジュールを含むことが理解され得る。当業者は、本明細書中で開示される実施形態を参照して記載される例のユニット及びアルゴリズムステップが、本願においてハードウェアの形で又はハードウェアとコンピュータソフトウェアとの組み合わせの形で実装可能であると容易に気付くはずである。機能がハードウェアによって又はコンピュータソフトウェアによってハードウェアを駆動する様態で実装されるかどうかは、技術的解決法の特定の用途及び設計制約に依存する。当業者は、記載される機能を特定の用途ごとに実装するために種々の方法を使用してよいが、実施は、本願の適用範囲を越えると考えられるべきではない。
【０１２７】
一次ネットワークデバイス間のハンドオーバのシナリオにおいて、端末デバイスへ接続されている第１一次ネットワークデバイスは、第２一次ネットワークデバイスへハンドオーバされる必要があり、端末デバイスへ接続されている二次ネットワークデバイスは変更されないままであり、二次ネットワークデバイスのコンフィグレーションは変更されないままである。先行技術によれば、第１一次ネットワークデバイス、第２一次ネットワークデバイス、及び二次ネットワークデバイスは同じ標準を有し、例えば、それらは全てＬＴＥネットワークデバイスであるか、あるいは、全てＮＲネットワークデバイスである。従って、ハンドオーバプロシージャは次の通りである。第１一次ネットワークデバイスは、二次ネットワークデバイスのコンフィグレーションを第２一次ネットワークデバイスへ送り、二次ネットワークデバイスのコンフィグレーションを受け取った後、第２一次ネットワークデバイスは、コンフィグレーションを読み出し理解してよく、従って、コンフィグレーション及び端末デバイスの能力に基づきコンフィグレーションを生成し、最終的なコンフィグレーションが端末デバイスの能力を超えないことを可能にし得る。
【０１２８】
他の適用シナリオを考慮して、第１一次ネットワークデバイス及び第２一次ネットワークデバイスは同じ標準を有し、それらの標準は二次ネットワークデバイスの標準とは異なる。この場合に、上記のハンドオーバプロシージャによれば、第２一次ネットワークデバイスは二次ネットワークデバイスのコンフィグレーションを理解することができないので、第１一次ネットワークデバイスは、上記のハンドオーバ方法によっては第２一次ネットワークデバイスへハンドオーバされ得ない。
【０１２９】
従って、本願はハンドオーバ方法を更に提供する。図４に示されるように、方法は次のステップを含む。
【０１３０】
ステップ３０１：第１一次ネットワークデバイスが第３メッセージを第２一次ネットワークデバイスへ送る。
【０１３１】
第３メッセージは、ハンドオーバを要求するために使用される。例えば、第３メッセージはハンドオーバ要求メッセージであり、第３メッセージは、第１一次ネットワークデバイスと二次ネットワークデバイスとの間の能力協調結果を含む。
【０１３２】
任意に、能力協調結果は、第１一次ネットワークデバイスによって使用され得るレイヤ２バッファのサイズ、及び／又は第１一次ネットワークデバイスによって使用され得る帯域組み合わせを含む。
【０１３３】
レイヤ２バッファは、端末デバイスのレイヤ２バッファであり、帯域組み合わせは、端末デバイスの帯域組み合わせ（band  combination）である。
【０１３４】
ステップ３０２：第２一次ネットワークデバイスが、第１一次ネットワークデバイスと二次ネットワークデバイスとの間の能力協調結果に基づき、第２一次ネットワークデバイスのコンフィグレーションを生成する。
【０１３５】
すなわち、第２一次ネットワークデバイスのコンフィグレーションは、能力協調結果に関連する。
【０１３６】
任意に、コンフィグレーションはＲＲＣコンフィグレーションである。
【０１３７】
ステップ３０３：第２一次ネットワークデバイスが、第２一次ネットワークデバイスのコンフィグレーションを第１一次ネットワークデバイスへ送る。
【０１３８】
ステップ３０４：第１一次ネットワークデバイスが、第２一次ネットワークデバイスによって送られる第２一次ネットワークデバイスのコンフィグレーションを受け取る。
【０１３９】
ステップ３０１からステップ３０４を使用することによって、第１一次ネットワークデバイスは、第１一次ネットワークデバイスと二次ネットワークデバイスとの間の能力協調結果を直接第２一次ネットワークデバイスへ送り、それにより、第２一次ネットワークデバイスは、二次ネットワークデバイスのコンフィグレーションを取得及び理解することなしに能力協調結果に基づきコンフィグレーションを生成し、そして、第２一次ネットワークデバイスがハンドオーバプロセスにおいて成功裏にコンフィグレーションを生成することができることは可能にされる。
【０１４０】
任意に、第１一次ネットワークデバイスは更に、二次ネットワークデバイスのコンフィグレーションを受け取ってもよい。更に、第１一次ネットワークデバイスは、第２一次ネットワークデバイスのコンフィグレーションと、二次ネットワークデバイスのコンフィグレーションとを端末デバイスへ送る。第１一次ネットワークデバイスが二次ネットワークデバイスのコンフィグレーションを受け取ることは、第１一次ネットワークデバイスが第２一次ネットワークデバイスから二次ネットワークデバイスのコンフィグレーションを受け取ること、又は第１一次ネットワークデバイスが二次ネットワークデバイスから二次ネットワークデバイスのコンフィグレーションを受け取ることを含む。
【０１４１】
具体的に言えば、上記のステップを使用することによって、第２一次ネットワークデバイスは、第２一次ネットワークデバイスのコンフィグレーションを第１一次ネットワークデバイスへ送る。任意に、第２一次ネットワークデバイスは更に、二次ネットワークデバイスのコンフィグレーションを第１一次ネットワークデバイスへ送る（あるいは、二次ネットワークデバイスが、二次ネットワークデバイスのコンフィグレーションを第１一次ネットワークデバイスへ送る。）。第２一次ネットワークデバイスのコンフィグレーションを受け取った後、任意に、第１一次ネットワークデバイスは更に、二次ネットワークデバイスのコンフィグレーションを受け取る。第１一次ネットワークデバイスは、第２一次ネットワークデバイスのコンフィグレーションを端末デバイスへ送り、任意に、更に、二次ネットワークデバイスのコンフィグレーションを端末デバイスへ送る。
【０１４２】
任意に、第１一次ネットワークデバイスによって送られる二次ネットワークデバイスのコンフィグレーションを端末デバイスが受け取り、そして、二次ネットワークデバイスのコンフィグレーションが機能しなくなる場合に、端末デバイスは第４メッセージを第１一次ネットワークデバイスへ送り、このとき、第４メッセージは、ＲＲＣ接続回復を示すために使用される。
【０１４３】
第１一次ネットワークデバイスによって送られる二次ネットワークデバイスのコンフィグレーションを端末デバイスが受け取り、二次ネットワークデバイスのコンフィグレーションが機能しなくなる場合に使用される障害処理方法の詳細なプロセスについては、上記の説明及び図３（ａ）に示される記載を参照されたい。詳細はここで再びは記載されない。
【０１４４】
以下は、帯域組み合わせ協調を一例として使用することによって説明する。帯域組み合わせの能力協調のために、任意の解決法は、帯域組み合わせリストを保持することである。例えば、表１に示されるように、第１の列は、インデックス（index）であり、第２の列は、第１一次ネットワークデバイスによって使用され得る帯域組み合わせであり、第３の列は、第１一次ネットワークデバイスが第２の列内の帯域組み合わせを使用する場合に二次ネットワークデバイスによって使用され得る帯域組み合わせである。端末デバイスの同じ無線周波数チェーンが異なる帯域で使用可能であり、同じ無線周波数チェーンが第１一次ネットワークデバイス及び二次ネットワークデバイスによって同時には使用され得ないために、そのような組み合わせが存在する。
【０１４５】
ネットワーク側は、端末デバイスの能力から表１内の情報を取得することができる。具体的に、第１一次ネットワークデバイスは、インデックスに対応する第１一次ネットワークデバイスの帯域組み合わせを知ってさえいればよく、二次ネットワークデバイスは、インデックスに対応する二次ネットワークデバイスの帯域組み合わせを知ってさえいればよい。能力協調プロセスにおいて、第１一次ネットワークデバイスは帯域組み合わせを選択し、対応するインデックスを二次ネットワークデバイスへ送る。従って、二次ネットワークデバイスは、二次ネットワークデバイスによって使用され得る帯域組み合わせを知ることができ、それによって、最終のコンフィグレーションが端末デバイスの能力を超えないことを確かにする。例えば、第１一次ネットワークデバイスによって選択される帯域組み合わせが１、３、及び５である場合に、第１一次ネットワークデバイスはインデックス４を二次ネットワークデバイスへ送り、従って、二次ネットワークデバイスは、二次ネットワークデバイスによって使用され得る帯域組み合わせが２、３、及び４であると知る。
【表１】
0006852184.tif 000002
【０１４６】
第１一次ネットワークデバイスによって使用され得る帯域組み合わせ、例えば、使用され得る帯域組み合わせが１、３、及び５であること、を決定した後、第１一次ネットワークデバイスは、第２一次ネットワークデバイスに対して、第１一次ネットワークデバイスによって使用され得る帯域組み合わせを送る。
【０１４７】
次いで、レイヤ２バッファが一例として使用される。端末デバイスのレイヤ２バッファのサイズが１Ｇであって、第１一次ネットワークデバイスは、例えば、第１一次ネットワークデバイスによって使用され得るレイヤ２バッファのサイズが６００Ｍであり、二次ネットワークデバイスによって使用され得るレイヤ２バッファのサイズが４００Ｍであると最終的に決定するよう、二次ネットワークデバイスと協調するとする。
【０１４８】
第１一次ネットワークデバイスによって使用され得るレイヤ２バッファのサイズ及び帯域組み合わせを決定した後、第１一次ネットワークデバイスは、第２一次ネットワークデバイスに対して、第１一次ネットワークデバイスによって使用され得るレイヤ２バッファのサイズ及び帯域組み合わせを送る。第２一次ネットワークデバイスは次いでコンフィグレーションを生成し、例えば、ＲＲＣコンフィグレーションを生成し、そして、コンフィグレーションを第１一次ネットワークデバイスへ送る。第１一次ネットワークデバイスは次いでコンフィグレーションを端末デバイスへ送る。
【０１４９】
任意に、二次ネットワークデバイスは、二次ネットワークデバイスによって使用され得るレイヤ２バッファのサイズ及び帯域組み合わせに基づきコンフィグレーションを生成し、コンフィグレーションを第２一次ネットワークデバイスへ送る。第２一次ネットワークデバイスは、二次ネットワークデバイスのコンフィグレーションと、第２一次ネットワークデバイスのコンフィグレーションとを一緒に第１一次ネットワークデバイスへ送り、第１一次ネットワークデバイスは、それらのコンフィグレーションを端末デバイスへ送る。
【０１５０】
同じ発明概念に基づき、本願の実施形態はネットワークデバイス５００を更に提供する。図５に示されるように、ネットワークデバイス５００は、上記の障害処理方法で一次ネットワークデバイスによって実行される方法と、上記のハンドオーバ方法で第１一次ネットワークデバイスによって実行される方法とを実行するよう構成されてよい。ネットワークデバイス５００は、１つ以上の遠隔無線ユニット（remote  radio  unit，略してＲＲＵ）５０１と、１つ以上のベースバンド・ユニット（baseband  unit，略してＢＢＵ）とを含む。ＲＲＵ５０１は、トランシーバユニット、トランシーバ、トランシーバ回路、トランシーバデバイス、などと呼ばれてもよく、少なくとも１つのアンテナ５０１１と、無線周波数ユニット５０１２とを含むことができる。ＲＲＵ５０１は、主として、無線周波数信号を受信／送信し、且つ、無線周波数信号及びベースバンド信号を変換するよう構成される。ＢＢＵ５０２は、主に、ベースバンド処理を実行し、ネットワークデバイスを制御する、などのために構成される。ＲＲＵ５０１及びＢＢＵ５０２は、物理的に一緒に配置されても、あるいは、ＲＲＵ５０１及びＢＢＵ５０２は、物理的に分離されてもよく、すなわち、換言すれば、ＲＲＵ５０１及びＢＢＵ５０２は、分散ネットワーク内のデバイスである。
【０１５１】
ＢＢＵ５０２は、ネットワークデバイスのコントロールセンターであり、あるいは、処理ユニットと呼ばれることがあり、主に、チャネル符号化、多重化、変調、及びスペクトル拡散などのベースバンド処理機能を完了するよう構成される。例えば、ＢＢＵ（処理ユニット）は、上記の障害処理方法のいずれか１つで一次ネットワークデバイスによって実行される方法と、上記のハンドオーバ方法で第１一次ネットワークデバイスによって実行される方法とを実行するようにネットワークデバイスを制御するよう構成されてよい。
【０１５２】
例において、ＢＢＵ５０２は１つ以上の基板を含むことができ、複数の基板は、単一のアクセス標準の無線アクセスネットワーク（例えば、ＬＴＥネットワーク）を連帯してサポートしても、あるいは、異なるアクセス標準の無線アクセスネットワークをサポートしてもよい。ＢＢＵ５０２は、メモリ５０２１及びプロセッサ５０２２を更に含む。メモリ５０２１は、必要な命令及び必要なデータを記憶するよう構成される。プロセッサ５０２２は、必要な動作を実行するようにネットワークデバイスを制御するよう構成され、例えば、上記の実施形態のいずれか１つでネットワークデバイスによって実行される方法を実行するようにネットワークデバイスを制御するよう構成される。メモリ５０２１及びプロセッサ５０２２は１つ以上の基板に仕えることができる。すなわち、メモリ及びプロセッサは、各基板上に別々に配置されてよい。代替的に、複数の基板が同じメモリ及びプロセッサを使用してもよい。その上、必要な回路が各基板上に更に配置される。
【０１５３】
アップリンク上で、端末デバイスによって送信されたアップリンク信号（データなどを含む。）は、アンテナ５０１１を使用することによって受信される。ダウンリンク上で、ダウンリンク信号（データ及び／又は制御情報を含む。）は、アンテナ５０１１を使用することによって端末デバイスへ送信される。プロセッサ５０２２で、サービスデータ及びシグナリングメッセージが処理され、それらのユニットは、無線アクセスネットワークで使用される無線アクセス技術（例えば、ＬＴＥ、ＮＲ、及び他の進化したシステムでのアクセス技術）に従って処理を実行する。プロセッサ５０２２は更に、ネットワークデバイスの動作を制御及び管理するよう構成され、上記の実施形態でネットワークデバイスによって実行される処理を実行するよう構成される。プロセッサ５０２２は更に、ネットワークデバイスが、図３（ａ）及び図３（ｂ）で記載された、一次ネットワークデバイスによって実行される処理プロシージャと、図４で記載された、第１一次ネットワークデバイスによって実行される方法とを実行するのを支援するよう構成される。
【０１５４】
図５は、ネットワークデバイスの簡略化された設計しか示していないことが理解され得る。実際の適用では、ネットワークデバイスは、アンテナ、メモリ、プロセッサ、無線周波数ユニット、ＲＲＵ、ＢＢＵ、などをいくつでも含んでよく、本願を実装することができる全てのネットワークデバイスは、本願の保護範囲内にある。
【０１５５】
具体的に、本願では、例えば、ＲＲＵ５０１はトランシーバと呼ばれる。この場合に、ネットワークデバイス５００のトランシーバ及びプロセッサは、具体的に次のように構成され得る。
【０１５６】
トランシーバは、端末デバイスから第１指示情報を受信するよう構成され、このとき、第１指示情報は、二次ネットワークデバイスの第１ＲＲＣコンフィグレーションが機能しなくなることを示すために使用され、第１ＲＲＣコンフィグレーションは、端末デバイスによって二次ネットワークデバイスから受信される。
【０１５７】
トランシーバは更に、第１要求メッセージを二次ネットワークデバイスへ送信するよう構成され、このとき、第１要求メッセージは、ＲＲＣコンフィグレーションを更新するように二次ネットワークデバイスに要求するために又は二次ネットワークデバイスを解放するように要求するために使用される。
【０１５８】
任意に、第１要求メッセージは第１指示情報を含む。
【０１５９】
ネットワークデバイス５００のトランシーバ及びプロセッサは更に、具体的に次のように構成され得る。
【０１６０】
二次ネットワークデバイスの第２ＲＲＣコンフィグレーションが機能しなくなる場合に、トランシーバは、端末デバイスから第２メッセージを受信するよう構成され、このとき、第２メッセージは、ＲＲＣ接続回復を示すために使用され、第２ＲＲＣコンフィグレーションは、端末デバイスによって一次ネットワークデバイスから受信される。
【０１６１】
トランシーバは更に、端末デバイスに対するＲＲＣ接続回復を開始するよう構成される。
【０１６２】
任意に、第２メッセージは、第３指示情報を含み、第３指示情報は、第２ＲＲＣコンフィグレーションが機能しなくなることを示すために使用される。
【０１６３】
ネットワークデバイス５００のトランシーバ及びプロセッサは更に、具体的に次のように構成され得る。
【０１６４】
トランシーバは、第３メッセージを第２一次ネットワークデバイスへ送信するよう構成され、このとき、第３メッセージは、ハンドオーバを要求するために使用され、第３メッセージは、第１一次ネットワークデバイスと二次ネットワークデバイスとの間の能力協調結果を含む。
【０１６５】
トランシーバは更に、第２一次ネットワークデバイスによって送信される第２一次ネットワークデバイスのコンフィグレーションを受信するよう構成され、このとき、第２一次ネットワークデバイスのコンフィグレーションは、能力協調結果に関連する。
【０１６６】
任意に、能力協調結果は、第１一次ネットワークデバイスによって使用され得るレイヤ２バッファのサイズ、及び／又は第１一次ネットワークデバイスによって使用され得る帯域組み合わせを含む。
【０１６７】
任意に、トランシーバは更に、二次ネットワークデバイスのコンフィグレーションを受信するよう構成される。
【０１６８】
トランシーバは更に、第２一次ネットワークデバイスのコンフィグレーションと、二次ネットワークデバイスのコンフィグレーションとを端末デバイスへ送信するよう構成される。
【０１６９】
任意に、トランシーバは更に、第２一次ネットワークデバイスから二次ネットワークデバイスのコンフィグレーションを受信するよう構成される。
【０１７０】
任意に、二次ネットワークデバイスのコンフィグレーションが機能しなくなる場合に、トランシーバは更に、端末デバイスから第４メッセージを受信するよう構成され、このとき、第４メッセージは、ＲＲＣ接続回復を示すために使用される。
【０１７１】
同じ発明概念に基づき、本願の実施形態は端末デバイス６００を更に提供する。記載の簡単のために、図６（ａ）は、端末デバイスの主たる構成要素しか示さない。図６（ａ）に示されるように、端末デバイス６００は、プロセッサ、メモリ、制御回路、アンテナ、及び入出力装置を含む。プロセッサは、主に、通信プロトコル及び通信データを処理し、端末デバイス全体を制御し、ソフトウェアプログラムを実行し、且つ、ソフトウェアプログラムのデータを処理するよう構成され、例えば、上記の実施形態のいずれか１つで端末デバイスによって実行される方法を端末デバイス６００が実行することを支援するよう構成される。メモリは、主に、ソフトウェアプログラム及びデータを記憶するよう構成される。制御回路は、主に、ベースバンド信号及び無線周波数信号を変換し且つ無線周波数信号を処理するよう構成される。制御回路は、アンテナとともに、トランシーバとも呼ばれることがあり、主に、電磁波の形で無線周波数信号を受信／送信するよう構成される。タッチスクリーン、表示スクリーン、又はキーボードなどの入出力装置は、主に、ユーザによって入力データを受け取り且つデータをユーザに出力するよう構成される。
【０１７２】
端末デバイスが電源を入れられた後、プロセッサは、記憶ユニット内のソフトウェアプログラムを読み出し、ソフトウェアプログラムの命令を説明及び実行し、ソフトウェアプログラムのデータを処理してよい。データが無線で送信される必要がある場合に、プロセッサは、送信されるべきデータに対してベースバンド処理を実行し、ベースバンド信号を無線周波数回路へ出力する。無線周波数回路は、ベースバンド信号に対して無線周波数処理を実行し、次いで、アンテナを使用することによって無線周波数信号を電磁波の形で送信する。データが端末デバイス６００へ送信される場合に、無線周波数回路は、アンテナを使用することによって無線周波数信号を受信し、無線周波数信号をベースバンド信号に変換し、ベースバンド信号をプロセッサへ出力し、プロセッサは、ベースバンド信号をデータに変換し、データを処理する。
【０１７３】
当業者は、記載の簡単のために、図６（ａ）が１つのメモリ及び１つのプロセッサしか示していないと理解し得る。実際に、端末デバイスは、複数のプロセッサ及び複数のメモリを含むことができる。メモリは記憶媒体、記憶デバイス、などとも呼ばれ得る。これは本願で限定されない。
【０１７４】
任意の実施において、プロセッサは、ベースバンドプロセッサ及び中央演算処理装置を含むことができる。ベースバンドプロセッサは、主に、通信プロトコル及び通信データを処理するよう構成され、中央演算処理装置は、主に、端末デバイス６００全体を制御し、ソフトウェアプログラムを実行し、ソフトウェアプログラムのデータを処理するよう構成される。ベースバンドプロセッサ及び中央演算処理装置の機能は、図６（ａ）ではプロセッサに組み込まれている。当業者は、ベースバンドプロセッサ及び中央演算処理装置が夫々独立したプロセッサであることができ、それらがバスなどの技術を使用することで相互接続されると理解し得る。当業者は、端末デバイスが、異なるネットワーク標準に適応するよう複数のベースバンドプロセッサを含んでもよく、端末デバイス６００が、端末デバイス６００の処理能力を高めるよう複数の中央演算処理装置を含んでもよく、且つ、端末デバイス６００の全ての構成要素が様々なバスを通じて接続されてよいと理解し得る。ベースバンドプロセッサは、ベースバンド処理回路又はベースバンド処理チップと表現されることもある。中央演算処理装置は、中央演算処理回路又は中央演算処理チップと表現されることもある。通信プロトコル及び通信データを処理する機能は、プロセッサに組み込まれても、あるいは、ソフトウェアプログラムの形で記憶ユニットに記憶されてもよい。プロセッサは、ベースバンド処理機能を実装するようソフトウェアプログラムを実行する。
【０１７５】
例えば、本願では、受信及び送信機能を備えるアンテナと、制御回路とは、端末デバイス６００のトランシーバユニット６０１と見なすことができ、処理機能を備えるプロセッサは、端末デバイス６００の処理ユニット６０２と見なすことができる。図６（ａ）に示されるように、端末デバイス６００は、トランシーバユニット６０１及び処理ユニット６０２を含む。トランシーバユニットは、トランシーバデバイス、トランシーバ、トランシーバ装置、などとも呼ばれ得る。任意に、トランシーバユニット６０１内にあって、受信機能を実装するよう構成される構成要素は、受信ユニットと見なすことができ、トランシーバユニット６０１内にあって、送信機能を実装するよう構成される構成要素は、送信ユニットと見なすことができ、すなわち、トランシーバユニット６０１は受信ユニット及び送信ユニットを含む。例えば、受信ユニットは、受信器、受信機、受信回路、などとも呼ばれ得、送信ユニットは、送信器、送信機、送信回路、などとも呼ばれ得る。
【０１７６】
ダウンリンク上で、ネットワークデバイスによって送信されたダウンリンク信号（データ及び／又は制御情報を含む。）は、アンテナを使用することによって受信される。アップリンク上で、アップリンク信号（データ及び／又は制御情報を含む。）は、アンテナを使用することによってネットワークデバイスへ送信される。プロセッサでは、サービスデータ及びシグナリングメッセージが処理され、それらにユニットは、無線アクセスネットワークで使用される無線アクセス技術（例えば、ＬＴＥ、ＮＲ、及び他の進化したシステムでのアクセス技術）に従って処理を実行する。プロセッサは更に、端末デバイスの動作を制御及び管理するよう構成され、上記の実施形態で端末デバイスによって実行される処理を実行するよう構成される。プロセッサは更に、図３（ａ）、図３（ｂ）、及び図４で記載された、端末デバイスによって実行される処理プロシージャを端末デバイスが実行するのを支援するよう構成される。
【０１７７】
図６（ａ）は、端末デバイスの簡略化された設計しか示していないことが理解され得る。実際の適用では、端末デバイスは、アンテナ、メモリ、プロセッサ、などをいくつでも含んでよく、本願を実装することができる全ての端末デバイスは、本願の保護範囲内にある。
【０１７８】
具体的に、本願では、例えば、トランシーバユニットはトランシーバと呼ばれ、処理ユニットはプロセッサと呼ばれる。この場合に、端末デバイス６００のトランシーバ及びプロセッサは、具体的に次のように構成され得る。
【０１７９】
トランシーバは、二次ネットワークデバイスから二次ネットワークデバイスの第１ＲＲＣコンフィグレーションを受信するよう構成される。
【０１８０】
トランシーバは更に、第１指示情報を一次ネットワークデバイスへ送信するよう構成され、このとき、第１指示情報は、第１ＲＲＣコンフィグレーションが機能しなくなることを示すために使用される。
【０１８１】
任意に、トランシーバは更に、第１メッセージを一次ネットワークデバイスへ送信するよう構成され、第１メッセージは第１指示情報を含む。
【０１８２】
任意に、端末デバイスの第２ユニットによって送信された第２指示情報を端末デバイスの第１ユニットが受信する場合に、トランシーバは更に、第１指示情報を一次ネットワークデバイスへ送信するよう構成され、このとき、第２指示情報は、二次ネットワークデバイスから受信された第１ＲＲＣコンフィグレーションが機能しなくなることを示すために使用され、第１ユニットは、一次ネットワークデバイスと端末デバイスとの間のＲＲＣ接続を制御するよう構成され、第２ユニットは、二次ネットワークデバイスと端末デバイスとの間のＲＲＣ接続を制御するよう構成される。
【０１８３】
任意に、第１ユニットは第１ＲＲＣエンティティであり、第２ユニットは第２ＲＲＣエンティティである。
【０１８４】
任意に、トランシーバは更に、二次ネットワークデバイスから新しいＲＲＣコンフィグレーションを受信するよう構成される。
【０１８５】
端末デバイス６００のトランシーバ及びプロセッサは更に、具体的に次のように構成され得る。
【０１８６】
トランシーバは、一次ネットワークデバイスから二次ネットワークデバイスの第２ＲＲＣコンフィグレーションを受信するよう構成される。
【０１８７】
第２ＲＲＣコンフィグレーションが機能しなくなる場合に、トランシーバは更に、第２メッセージを一次ネットワークデバイスへ送信するよう構成され、このとき、第２メッセージは、ＲＲＣ接続回復を要求するために使用される。
【０１８８】
任意に、第２メッセージは第３指示情報を含み、第３指示情報は、第２ＲＲＣコンフィグレーションが機能しなくなることを示すために使用される。
【０１８９】
任意に、端末デバイスの第２ユニットによって送信された第４指示情報を端末デバイスの第１ユニットが受信する場合に、トランシーバは更に、第２メッセージを一次ネットワークデバイスへ送信するよう構成され、このとき、第４指示情報は、一次ネットワークデバイスから受信された第２ＲＲＣコンフィグレーションが機能しなくなることを示すために使用され、第１ユニットは、一次ネットワークデバイスと端末デバイスとの間のＲＲＣ接続を制御するよう構成され、第２ユニットは、二次ネットワークデバイスと端末デバイスとの間のＲＲＣ接続を制御するよう構成される。
【０１９０】
任意に、第１ユニットは第１ＲＲＣエンティティであり、第２ユニットは第２ＲＲＣエンティティである。
【０１９１】
任意に、トランシーバは更に、一次ネットワークデバイスから一次ネットワークデバイスの第３ＲＲＣコンフィグレーションを受信するよう構成される。
【０１９２】
第３ＲＲＣコンフィグレーションが機能しなくなる場合に、プロセッサは、次の動作：第２ＲＲＣコンフィグレーションを実行するのを止める動作、第２ＲＲＣコンフィグレーションを解放する動作、及び二次ネットワークデバイスの無線ベアラをサスペンドさせる動作、のうちの少なくとも１つを実行する。
【０１９３】
任意に、第１ユニットによって送信された第５指示情報を第２ユニットが受信する場合に、プロセッサは、上記の動作のうちの少なくとも１つを実行し、このとき、第５指示情報は、第３ＲＲＣコンフィグレーションが機能しなくなることを示すために使用される。
【０１９４】
図６（ｂ）は、本願に従う他の端末デバイスの概略図であり、端末デバイスは、上記の実施形態のいずれか１つで端末デバイスによって実行される動作を実行するよう構成され得る。プロセッサは、端末デバイスの音声／映像及び論理機能のために使用される回路を含むことができる。例えば、プロセッサは、デジタル信号プロセッサデバイス、マイクロプロセッサデバイス、アナログ−デジタル変換器、デジタル−アナログ変換器、などを含んでよい。モバイルデバイスの制御及び信号処理機能は、デバイスの各々の能力に基づきそれらの間で割り当てられ得る。プロセッサは、内部音声符号器ＶＣ、内部データモデムＤＭ、などを更に含んでもよい。その上、プロセッサは、１つ以上のソフトウェアプログラムを作動させる能力を含んでもよく、ソフトウェアプログラムはメモリに記憶され得る。通常、プロセッサ及び記憶されているソフトウェア命令は、端末デバイスが動作を実行することを可能にするよう構成され得る。例えば、プロセッサは、接続プログラムを作動させることができる。
【０１９５】
端末デバイスはユーザインターフェイスを更に含んでもよい。ユーザインターフェイスは、例えば、ヘッドセット又はラウドスピーカ、マイクロホン、出力装置（例えば、ディスプレイ）、及び入力装置を含んでよい。ユーザインターフェイスは、プロセッサへ動作上結合されてよい。この場合に、プロセッサは、ユーザインターフェイスの１つ以上の要素（例えば、ラウドスピーカ、マイクロホン、及びディスプレイ）の少なくともいくつかの機能を制御するよう構成されるユーザインターフェイス回路を含んでもよい。プロセッサ及び／又はプロセッサに含まれるユーザインターフェイス回路は、プロセッサがアクセス可能なメモリに記憶されているコンピュータプログラム命令（例えば、ソフトウェア及び／又はファームウェア）を使用することによってユーザインターフェイスの１つ以上の要素の１つ以上の機能を制御するよう構成されてよい。図示されていないが、端末デバイスは、モバイルデバイスに関係がある様々な回路へ電力を供給するよう構成されるバッテリを含んでもよい。回路は、例えば、検出可能な出力として機械振動を供給する回路である。入力装置は、キーパッド、タッチディスプレイ、ジョイスティック、及び／又は少なくとも１つの他の入力デバイスなどの、装置がデータを受け取ることを可能にするデバイスを含んでよい。
【０１９６】
端末デバイスは、データを共有及び／又は取得するよう構成される１つ以上の接続回路モジュールを更に含んでもよい。例えば、端末デバイスは、ＲＦ技術に基づき電子デバイスとデータを共有するよう及び／又は電子デバイスからデータを取得するよう挟域無線周波数ＲＦトランシーバ及び／又は検出器を含んでよい。端末デバイスは、赤外線ＩＲトランシーバ、ブルートゥーストランシーバ、及び無線ユニバーサル・シリアル・バスＵＳＢトランシーバなどの他の挟域トランシーバを含んでもよい。ブルートゥーストランシーバは、低出力及び超低出力ブルートゥース技術に基づく動作を実行することができる。この場合に、端末デバイス、より具体的には、挟域トランシーバは、装置の近く（例えば、１０メートル内）の電子デバイスへデータを送信すること及び／又はそれからデータを受信することができる。図示されていないが、端末デバイスは、様々な無線ネットワーキング技術に基づき電子デバイスへデータを送信すること及び／又はそれからデータを受信することができ、それらの技術には、Ｗｉ−Ｆｉ、Ｗｉ−Ｆｉ低電力消費、及びＷＬＡＮ技術、例えば、ＩＥＥＥ８０２．１１技術、ＩＥＥＥ８０２．１５技術、及びＩＥＥＥ８０２．１６技術が含まれる。
【０１９７】
端末デバイスは、加入者識別モジュールＳＩＭなどの、モバイルユーザに関係がある情報要素を記憶することができるメモリを含んでもよい。ＳＩＭに加えて、装置は、他の着脱可能な及び／又は固定式のメモリを更に含んでもよい。端末デバイスは、一時的なメモリ及び／又は非一時的なメモリを含んでもよい。例えば、一時的なメモリは、ランダム・アクセス・メモリＲＡＭを含むことができ、ＲＡＭは、動的ＲＡＭ及び／又は静的ＲＡＭ、オンチップ及び／又はオフチップバッファ、などを含む。非一時的なメモリは、組み込み型及び／又は着脱可能であってよい。非一時的なメモリは、例えば、リード・オンリー・メモリ、フラッシュメモリ、ハードディスク、フロッピーディスクドライブ、又は磁気テープなどの磁気記憶デバイス、光学ディスクドライブ及び／又は媒体、非一時的ランダム・アクセス・メモリＮＶＲＡＭ、などを含むことができる。一時的なメモリと同様に、非一時的なメモリは、データの一時記憶のために使用されるバッファ領域を含んでもよい。一時的なメモリ及び／又は非一時的なメモリの少なくとも一部は、プロセッサに組み込まれてもよい。メモリは、１つ以上のソフトウェアプログラム、命令、情報ブロック、データ、などを記憶し得る。メモリは、国際移動体装置識別ＩＭＥＩコードなどの、端末デバイスを一意に識別することができる識別子を含んでもよい。
【０１９８】
同じ発明概念に基づき、本願の実施形態は装置７００を更に提供する。装置７００は、ネットワークデバイスであっても、又は端末デバイスであってもよい。図７に示されるように、装置７００は、少なくともプロセッサ７０１及びメモリ７０２を含み、トランシーバ７０３を更に含んでもよく、バス７０４を更に含んでもよい。
【０１９９】
プロセッサ７０１、メモリ７０２、及びトランシーバ７０３は、全てがバス７０４を通じて接続されている。
【０２００】
メモリ７０２は、コンピュータ実行命令を記憶するよう構成される。
【０２０１】
プロセッサ７０１は、メモリ７０２に記憶されているコンピュータ実行命令を実行するよう構成される。
【０２０２】
装置７００がネットワークデバイスである場合に、プロセッサ７０１は、メモリ７０２に記憶されているコンピュータ実行命令を実行して、それにより、装置７００が、上記の障害処理方法のいずれか１つで一次ネットワークデバイスによって実行されるステップを実行するか、又はそのステップに対応する機能ユニットが、一次ネットワークデバイスのために配置されるか、あるいは、装置７００が、上記のハンドオーバ方法で第１一次ネットワークデバイスによって実行されるステップを実行するか、又はそのステップに対応する機能ユニットが、第１一次ネットワークデバイスのために配置されるようにする。
【０２０３】
装置７００が端末デバイスである場合に、プロセッサ７０１は、メモリ７０２に記憶されているコンピュータ実行命令を実行して、それにより、装置７００が、本願の実施形態で提供される上記の障害処理方法又はハンドオーバ方法のいずれか１つで端末デバイスによって実行されるステップを実行するか、あるいは、そのステップに対応する機能ユニットが、端末デバイスのために配置されるようにする。
【０２０４】
プロセッサ７０１は、異なるタイプの複数のプロセッサ７０１を含んでも、あるいは、同じタイプの複数のプロセッサ７０１を含んでもよい。プロセッサ７０１は、計算及び処理能力を有する次のデバイス、例えば、中央演算処理装置（Central  Processing  Unit，略してＣＰＵ）、ＡＲＭプロセッサ（ＡＲＭの英語フルネーム：Advanced  RISC  Machines，RISCの英語フルネーム：Reduced  Instruction  Set  Computing）、フィールド・プログラマブル・ゲート・アレイ（Field  Programmable  Gate  Array，略してＦＰＧＡ）、及び専用プロセッサなど、のいずれか１つであってよい。任意の実施において、プロセッサ７０１は、メニーコアプロセッサとして一体化されてもよい。
【０２０５】
メモリ７０２は、次の記憶媒体、例えば、ランダム・アクセス・メモリ（Random  Access  Memory，略してＲＡＭ）、リード・オンリー・メモリ（read  only  memory，略してＲＯＭ）、非一時的メモリ（non-transitory  memory，略してＮＶＭ）、ソリッド・ステート・ドライブ（Solid  State  Drives，略してＳＳＤ）、機械ハードディスク、磁気ディスク、及びディスクアレイなど、のいずれか１つ又は任意の組み合わせであってよい。
【０２０６】
トランシーバ７０３は、他のデバイスとデータを交換するために装置７００によって使用される。例えば、装置７００がネットワークデバイスである場合に、ネットワークデバイスは、上記の実施形態のいずれか１つでネットワークデバイスによって実行される方法を実行してよい。ネットワークデバイスは、トランシーバ７０３を使用することによって端末デバイスとデータを交換する。装置７００が端末デバイスである場合に、端末は、上記の実施形態のいずれか１つで端末デバイスによって実行される方法を実行してよい。端末デバイスは、トランシーバ７０３を使用することによってネットワークデバイスとデータを交換する。トランシーバ７０３は、ネットワークアクセス機能を有する次のデバイス、ネットワークインターフェイス（例えば、イーサネットインターフェイス）及び無線ネットワークインターフェイスカードなど、のいずれか１つ又は任意の組み合わせであってよい。
【０２０７】
バス７０４は、アドレスバス、データバス、制御バス、などを含んでよい。表現の簡単のために、バスは、図７では太線で表されている。バス７０４は、有線データ伝送のための次の構成要素、産業標準アーキテクチャ（Industry  Standard  Architecture，略してＩＳＡ）バス、ペリフェラル・コンポーネント・インターコネクト（Peripheral  Component  Interconnect，略してＰＣＩ）バス、拡張産業標準アーキテクチャ（Extended  Industry  Standard  Architecture，略してＥＩＳＡ）バス、など、のいずれか１つ又は任意の組み合わせであってよい。
【０２０８】
本願の実施形態は、コンピュータ可読記憶媒体を提供し、コンピュータ可読記憶媒体は、コンピュータ実行命令を記憶する。端末デバイスのプロセッサはコンピュータ実行命令を実行して、それにより、端末デバイスが、本願で提供される上記の障害処理方法及びハンドオーバ方法で端末デバイスによって実行されるステップを実行するか、あるいは、そのステップに対応する機能ユニットが端末デバイスのために配置されるようにする。
【０２０９】
本願の実施形態は、コンピュータ可読記憶媒体を提供し、コンピュータ可読記憶媒体は、コンピュータ実行命令を記憶する。ネットワークデバイスのプロセッサはコンピュータ実行命令を実行して、それにより、ネットワークデバイスが、本願で提供される上記の障害処理方法で一次ネットワークデバイスによって実行されるステップを実行するか、又はそのステップに対応する機能ユニットがネットワークデバイスのために配置されるか、あるいは、ネットワークデバイスが、本願で提供される上記のハンドオーバ方法で第１一次ネットワークデバイスによって実行されるステップを実行するか、又はそのステップに対応する機能ユニットがネットワークデバイスのために配置されるようにする。
【０２１０】
本願の実施形態は、コンピュータプログラム製品を提供する。コンピュータプログラム製品はコンピュータ実行命令を含み、コンピュータ実行命令はコンピュータ可読記憶媒体に記憶される。端末デバイスのプロセッサは、コンピュータ可読記憶媒体からコンピュータ実行命令を読み出し得る。プロセッサは、コンピュータ実行命令を実行して、それにより、端末デバイスが、本願の実施形態で提供される上記の方法で端末デバイスによって実行されるステップを実行するか、あるいは、そのステップに対応する機能ユニットが端末デバイスのために配置されるようにする。
【０２１１】
本願の実施形態は、コンピュータプログラム製品を提供する。コンピュータプログラム製品はコンピュータ実行命令を含み、コンピュータ実行命令はコンピュータ可読記憶媒体に記憶される。ネットワークデバイスのプロセッサは、コンピュータ可読記憶媒体からコンピュータ実行命令を読み出し得る。プロセッサは、コンピュータ実行命令を実行して、それにより、ネットワークデバイスが、本願の実施形態で提供される上記の障害処理方法で一次ネットワークデバイスによって実行されるステップを実行するか、又はそのステップに対応する機能ユニットがネットワークデバイスのために配置されるか、あるいは、ネットワークデバイスが、本願の実施形態で提供される上記のハンドオーバ方法で第１一次ネットワークデバイスによって実行されるステップを実行するか、又はそのステップに対応する機能ユニットがネットワークデバイスのために配置されるようにする。
【０２１２】
本願はチップシステムを更に提供する。チップシステムは、上記の態様での機能を実装すること、例えば、上記の方法でデータ及び／又は情報を生成、受信、又は処理することにおいて端末デバイスを支援するよう構成されるプロセッサを含む。可能な設計において、チップシステムはメモリを更に含む。メモリは、端末デバイスに必要なプログラム命令及びデータを記憶するよう構成される。チップシステムは、チップを含んでも、あるいは、チップ及び他のディスクリート素子を含んでもよい。
【０２１３】
本願はチップシステムを更に提供する。チップシステムは、上記の態様での機能を実装すること、例えば、上記の方法でデータ及び／又は情報を生成、受信、又は処理することにおいてネットワークデバイスを支援するよう構成されるプロセッサを含む。可能な設計において、チップシステムはメモリを更に含む。メモリは、ネットワークデバイスに必要なプログラム命令及びデータを記憶するよう構成される。チップシステムは、チップを含んでも、あるいは、チップ及び他のディスクリート素子を含んでもよい。
【０２１４】
同じ発明概念に基づき、本願は端末デバイス８００を更に提供する。図８に示されるように、端末デバイス８００は、処理ユニット８０１及びトランシーバユニット８０２を含み、上記の実施形態のいずれか１つで端末デバイスによって実行される方法を実行するよう構成され得る。任意に、処理ユニット８０１及びトランシーバユニット８０２は次のように構成される。
【０２１５】
トランシーバユニット８０２は、二次ネットワークデバイスから二次ネットワークデバイスの第１ＲＲＣコンフィグレーションを受信するよう構成される。
【０２１６】
トランシーバユニット８０２は更に、第１指示情報を一次ネットワークデバイスへ送信するよう構成され、このとき、第１指示情報は、第１ＲＲＣコンフィグレーションが機能しなくなることを示すために使用される。
【０２１７】
任意に、トランシーバユニット８０２は更に、第１メッセージを一次ネットワークデバイスへ送信するよう構成され、第１メッセージは第１指示情報を含む。
【０２１８】
任意に、端末デバイスの第２ユニットによって送信された第２指示情報を端末デバイスの第１ユニットが受信する場合に、トランシーバユニット８０２は更に、第１指示情報を一次ネットワークデバイスへ送信するよう構成され、このとき、第２指示情報は、二次ネットワークデバイスから受信された第１ＲＲＣコンフィグレーションが機能しなくなることを示すために使用され、第１ユニットは、一次ネットワークデバイスと端末デバイスとの間のＲＲＣ接続を制御するよう構成され、第２ユニットは、二次ネットワークデバイスと端末デバイスとの間のＲＲＣ接続を制御するよう構成される。
【０２１９】
任意に、第１ユニットは第１ＲＲＣエンティティであり、第２ユニットは第２ＲＲＣエンティティである。
【０２２０】
任意に、トランシーバユニット８０２は更に、二次ネットワークデバイスから新しいＲＲＣコンフィグレーションを受信するよう構成される。
【０２２１】
処理ユニット８０１及びトランシーバユニット８０２は更に、次のように構成される。
【０２２２】
トランシーバユニット８０２は、一次ネットワークデバイスから二次ネットワークデバイスの第２ＲＲＣコンフィグレーションを受信するよう構成される。
【０２２３】
第２ＲＲＣコンフィグレーションが機能しなくなる場合に、トランシーバユニット８０２は更に、第２メッセージを一次ネットワークデバイスへ送信するよう構成され、第２メッセージは、ＲＲＣ接続回復を要求するために使用される。
【０２２４】
任意に、第２メッセージは第３指示情報を含み、第３指示情報は、第２ＲＲＣコンフィグレーションが機能しなくなることを示すために使用される。
【０２２５】
任意に、端末デバイスの第２ユニットによって送信された第４指示情報を端末デバイスの第１ユニットが受信する場合に、トランシーバユニット８０２は更に、第２メッセージを一次ネットワークデバイスへ送信するよう構成され、第４指示情報は、一次ネットワークデバイスから受信された第２ＲＲＣコンフィグレーションが機能しなくなることを示すために使用され、第１ユニットは、一次ネットワークデバイスと端末デバイスとの間のＲＲＣ接続を制御するよう構成され、第２ユニットは、二次ネットワークデバイスと端末デバイスとの間のＲＲＣ接続を制御するよう構成される。
【０２２６】
任意に、第１ユニットは第１ＲＲＣエンティティであり、第２ユニットは第２ＲＲＣエンティティである。
【０２２７】
任意に、トランシーバユニット８０２は更に、一次ネットワークデバイスから一次ネットワークデバイスの第３ＲＲＣコンフィグレーションを受信するよう構成される。
【０２２８】
第３ＲＲＣコンフィグレーションが機能しなくなる場合に、処理ユニット８０１は、次の動作：第２ＲＲＣコンフィグレーションを実行するのを止める動作、第２ＲＲＣコンフィグレーションを解放する動作、及び二次ネットワークデバイスの無線ベアラをサスペンドさせる動作、のうちの少なくとも１つを実行する。
【０２２９】
任意に、第１ユニットによって送信された第５指示情報を第２ユニットが受信する場合に、処理ユニット８０１は、前記次の動作のうちの少なくとも１つを実行し、このとき、第５指示情報は、第３ＲＲＣコンフィグレーションが機能しなくなることを示すために使用される。
【０２３０】
同じ発明概念に基づき、本願はネットワークデバイス９００を更に提供する。図９に示されるように、ネットワークデバイス９００は、処理ユニット９０１及びトランシーバユニット９０２を含み、上記の障害処理方法で一次ネットワークデバイスによって実行される方法を実行するよう構成されても、あるいは、上記のハンドオーバ方法で第１一次ネットワークデバイスによって実行される方法を実行するよう構成されてもよい。任意に、処理ユニット９０１及びトランシーバユニット９０２は次のように構成される。
【０２３１】
トランシーバユニット９０２は、端末デバイスから第１指示情報を受信するよう構成され、このとき、第１指示情報は、二次ネットワークデバイスの第１ＲＲＣコンフィグレーションが機能しなくなることを示すために使用され、第１ＲＲＣコンフィグレーションは、端末デバイスによって二次ネットワークデバイスから受信される。
【０２３２】
トランシーバユニット９０２は更に、第１要求メッセージを二次ネットワークデバイスへ送信するよう構成され、このとき、第１要求メッセージは、ＲＲＣコンフィグレーションを更新するように二次ネットワークデバイスに要求するために又は二次ネットワークデバイスを解放するように要求するために使用される。
【０２３３】
任意に、第１要求メッセージは第１指示情報を含む。
【０２３４】
任意に、処理ユニット９０１及びトランシーバユニット９０２は更に、次のように構成される。
【０２３５】
二次ネットワークデバイスの第２ＲＲＣコンフィグレーションが機能しなくなる場合に、トランシーバユニット９０２は、端末デバイスから第２メッセージを受信するよう構成され、このとき、第２メッセージは、ＲＲＣ接続回復を示すために使用され、第２ＲＲＣコンフィグレーションは、端末デバイスによって一次ネットワークデバイスから受信される。
【０２３６】
トランシーバユニット９０２は更に、端末デバイスに対するＲＲＣ接続回復を開始するよう構成される。
【０２３７】
任意に、第２メッセージは第３指示情報を含み、第３指示情報は、第２ＲＲＣコンフィグレーションが機能しなくなることを示すために使用される。
【０２３８】
任意に、処理ユニット９０１及びトランシーバユニット９０２は更に、次のように構成される。
【０２３９】
トランシーバユニット９０２は、第３メッセージを第２一次ネットワークデバイスへ送信するよう構成され、このとき、第３メッセージは、ハンドオーバを要求するために使用され、第３メッセージは、第１一次ネットワークデバイスと二次ネットワークデバイスとの間の能力協調結果を含む。
【０２４０】
トランシーバユニット９０２は更に、第２一次ネットワークデバイスによって送信される第２一次ネットワークデバイスのコンフィグレーションを受信するよう構成され、このとき、第２一次ネットワークデバイスのコンフィグレーションは、能力協調結果に関連する。
【０２４１】
任意に、能力協調結果は、第１一次ネットワークデバイスによって使用され得るレイヤ２バッファのサイズ、及び／又は第１一次ネットワークデバイスによって使用され得る帯域組み合わせを含む。
【０２４２】
任意に、トランシーバユニット９０２は更に、二次ネットワークデバイスのコンフィグレーションを受信するよう構成される。
【０２４３】
トランシーバユニット９０２は更に、第２一次ネットワークデバイスのコンフィグレーションと、二次ネットワークデバイスのコンフィグレーションとを端末デバイスへ送信するよう構成される。
【０２４４】
任意に、トランシーバユニット９０２は更に、第２一次ネットワークデバイスから二次ネットワークデバイスのコンフィグレーションを受信するよう構成される。
【０２４５】
任意に、二次ネットワークデバイスのコンフィグレーションが機能しなくなる場合に、トランシーバユニット９０２は更に、端末デバイスから第４メッセージを受信するよう構成され、このとき、第４メッセージは、ＲＲＣ接続回復を示すために使用される。
【０２４６】
同じ発明概念に基づき、図１０に示されるように、本願は通信デバイス１０００を更に提供する。通信デバイス１０００は端末デバイス、ベースバンドチップ、などであってよく、第１ユニット１００１及び第２ユニット１００２を含む。詳細については、図２（ａ）及び図２（ｂ）を参照されたい。第１ユニット１００１及び第２ユニット１００２は、上記の障害処理方法で第１ユニット１００１及び第２ユニット１００２によって実行される機能を夫々実行するよう構成され得る。詳細については、上記の説明を参照されたい。
【０２４７】
例えば、以下は、第１ユニット１００１及び第２ユニット１００２のいくつかの機能について説明する。第１ユニット１００１は、一次ネットワークデバイスと端末デバイスとの間のＲＲＣ接続を制御するよう構成され、第２ユニット１００２は、二次ネットワークデバイスと端末デバイスとの間のＲＲＣ接続を制御するよう構成される。
【０２４８】
任意に、端末デバイスによって二次ネットワークデバイスから受信される二次ネットワークデバイスの第１ＲＲＣコンフィグレーションが機能しなくなることを第２ユニット１００２が決定する場合に、第２ユニット１００２は第２指示情報を生成し、このとき、第２指示情報は、第１ＲＲＣコンフィグレーションが機能しなくなることを示すために使用される。第２ユニット１００２は、第２指示情報を第１ユニット１００１へ送信する。
【０２４９】
任意に、端末デバイスによって一次ネットワークデバイスから受信される二次ネットワークデバイスの第２ＲＲＣコンフィグレーションが機能しなくなることを第２ユニット１００２が決定する場合に、第２ユニット１００２は第４指示情報を生成し、このとき、第４指示情報は、第２ＲＲＣコンフィグレーションが機能しなくなることを示すために使用される。第２ユニット１００２は、第４指示情報を第１ユニット１００１へ送信する。
【０２５０】
任意に、端末デバイスによって一次ネットワークデバイスから受信される二次ネットワークデバイスの第３ＲＲＣコンフィグレーションが機能しなくなることを第１ユニット１００１が決定する場合に、第１ユニット１００１は第５指示情報を生成し、このとき、第５指示情報は、第３ＲＲＣコンフィグレーションが機能しなくなることを示すために使用される。第１ユニット１００１は、第５指示情報を第２ユニット１００２へ送信する。
【０２５１】
任意に、第２ユニットは障害指示情報を第１ユニットへ送信し、このとき、障害指示情報は、端末デバイスと二次ネットワークデバイスとの間のリンクが機能しなくなることを示すために使用され、第１ユニットは障害指示情報を受信する。任意に、障害指示情報は、具体的に、次の場合：タイマが切れる場合、再送回数が最大回数を超える場合、ランダムアクセスが失敗する場合、二次セルグループ変更が失敗する場合、キーが機能しなくなる場合、チェックが失敗する場合、インテグリティ保護が機能しなくなる場合、二次ネットワークデバイスから受信される二次ネットワークコンフィグレーションが機能しなくなる場合、及び一次ネットワークデバイスから受信される二次ネットワークコンフィグレーションが機能しなくなる場合、のうちのいずれか１つを示すために使用される。
【０２５２】
二次ネットワークデバイスから受信される二次ネットワークコンフィグレーションが機能しなくなることを示すために障害指示情報が使用される場合に、障害指示情報は上記の第２指示情報である。
【０２５３】
一次ネットワークデバイスから受信される二次ネットワークコンフィグレーションが機能しなくなることを示すために障害指示情報が使用される場合に、障害指示情報は上記の第４指示情報である。
【０２５４】
任意に、第１ユニット１００１は第１ＲＲＣエンティティであり、第２ユニット１００２は第２ＲＲＣエンティティである。
【０２５５】
上記の実施形態の全て又は一部は、ソフトウェア、ハードウェア、ファームウェア、又はそれらの任意の組み合わせによって実施され得る。ソフトウェアが実施形態を実施するために使用される場合に、実施形態は完全に又は部分的にコンピュータプログラム製品の形で実施されてよい。コンピュータプログラム製品は１つ以上のコンピュータ命令を含む。コンピュータプログラム命令がコンピュータでロード及び実行されるとき、本願におけるプロシージャ又は機能の全て又は一部が発生する。コンピュータは汎用コンピュータ、専用コンピュータ、コンピュータネットワーク、又は他のプログラム可能な装置であってよい。コンピュータ命令はコンピュータ可読記憶媒体に記憶されても、あるいは、コンピュータ可読記憶媒体から他のコンピュータ可読記憶媒体へ伝送されてもよい。例えば、コンピュータ命令は、ウェブサイト、コンピュータ、サーバ、又はデータセンターから他のウェブサイト、コンピュータ、サーバ、又はデータセンターへ有線（例えば、同軸ケーブル、光ファイバ、若しくはデジタル加入者回線（Digital  Subscriber  Line，略してＤＳＬ））又は無線（例えば、赤外線、電波、若しくはマイクロ波）で伝送され得る。コンピュータ可読記憶媒体は、コンピュータによってアクセス可能なあらゆる使用可能な媒体、又は１つ以上の使用可能な媒体を一体化する、サーバ若しくはデータセンターなどのデータ記憶デバイスであってよい。使用可能な媒体は、磁気媒体（例えば、フロッピーディスク、ハードディスク、又は磁気テープ）、光学媒体（例えば、ＤＶＤ）、半導体媒体（例えば、ソリッド・ステート・ディスク（Solid  State  Disk，略してＳＳＤ））、などであってよい。
【０２５６】
当業者は更に、本願で挙げられている様々な実例的論理ブロック（illustrative  logical  block）及びステップ（step）が電子ハードウェア、コンピュータソフトウェア、又はそれら２つの組み合わせを通じて実装され得ると理解することができる。機能がハードウェア又はソフトウェアを使用することによって実装されるかどうかは、システム全体の特定の用途及び設計要件に依存する。当業者は、記載される機能を特定の用途ごとに実装するために様々な方法を使用してよいが、実施は本願の保護範囲を越えることが考えられるべきではない。
【０２５７】
本願で記載される様々な実例的論理ユニット及び回路は、汎用プロセッサ、デジタル信号プロセッサ、特定用途向け集積回路（Application  specific  integrated  circuit，略してＡＳＩＣ）、フィールド・プログラマブル・ゲート・アレイ（Field-Programmable  Gate  Array，略してＦＰＧＡ）若しくは他のプログラム可能な論理装置、ディスクリートゲート若しくはトランジスタロジック、ディスクリートハードウェア部品、又は上記の任意の組み合わせの設計を使用することによって、記載される機能を実装し又は作動させ得る。汎用プロセッサはマイクロプロセッサであってよい。任意に、汎用プロセッサはまた、あらゆる従来のプロセッサ、コントローラ、マイクロコントローラ、又は状態機械であってもよい。プロセッサは、代替的に、デジタル信号プロセッサとマイクロプロセッサ、複数のマイクロプロセッサ、デジタル信号プロセッサコアを伴った１つ以上のマイクロプロセッサ、又はあらゆる他の同様の構成などのコンピュータ装置の組み合わせによって実装されてもよい。
【０２５８】
本願で記載される方法又はアルゴリズムのステップは、ハードウェア、プロセッサによって実行されるソフトウェアユニット、又はそれらの組み合わせに直接組み込まれてもよい。ソフトウェアユニットは、ランダム・アクセス・メモリ（Random-Access  Memory，略してＲＡＭ）、フラッシュメモリ、リード・オンリー・メモリ（Read-Only  Memory，略してＲＯＭ）、消去可能なプログラム可能リード・オンリー・メモリ（Erasable  Programmable  Read  Only  Memory，略してＥＰＲＯＭ）、レジスタ、ハードディスク、リムーバブルディスク、コンパクト・ディスク・リード・オンリー・メモリ（Compact  Disc  Read-Only  Memory，略してＣＤ−ＲＯＭ）、又は当該技術におけるあらゆる他の形態の記憶媒体に記憶されてよい。例えば、記憶媒体はプロセッサへ接続されてよく、それにより、プロセッサは、記憶媒体から情報を読み出し、且つ、情報を記憶媒体に書き込むことができる。代替的に、記憶媒体はプロセッサに一体化されてもよい。プロセッサ及び記憶媒体はＡＳＩＣに配置されてよく、ＡＳＩＣは端末デバイス又はネットワークデバイスに配置されてよい。任意に、プロセッサ及び記憶媒体は、端末デバイス又はネットワークデバイスの異なる構成要素において配置されてもよい。
【０２５９】
１つ以上の例となる設計では、本願で記載される機能は、ハードウェア、ソフトウェア、ファームウェア、又はそれらの任意の組み合わせを使用することによって実装されてよい。機能がソフトウェアを使用することによって実装される場合に、機能はコンピュータ可読媒体に記憶されてよく、あるいは、１つ以上の命令又はコードの形でコンピュータ可読媒体へ伝送される。コンピュータ可読媒体には、コンピュータ記憶媒体と、コンピュータプログラムが１つの場所から他の場所へ移動することを可能にする通信媒体とが含まれる。記憶媒体は、あらゆる汎用又は特別のコンピュータによってアクセスされ得る利用可能な媒体であってよい。例えば、そのようなコンピュータ可読媒体には、ＲＡＭ、ＲＯＭ、ＥＥＰＲＯＭ、ＣＤ−ＲＯＭ若しくは他の光ディスク、ディスクストレージ若しくは他の磁気記憶装置、又はプログラムコードを担持若しくは記憶するために使用され得るあらゆる他の媒体が含まれ得るがこれらに限られず、プログラムコードは、命令又はデータの構造の形をとるか、あるいは、汎用若しくは特別のコンピュータによって又は汎用若しくは特別のプロセッサによって読み出され得る形をとる。その上、如何なる接続も、コンピュータ可読媒体として適切に定義され得る。例えば、ソフトウェアが、同軸ケーブル、光ファイバケーブル、ツイストペア、デジタル加入者回線（ＤＳＬ）を使用することによって、あるいは、赤外線、電波、若しくはマイクロ波などの無線で、ウェブサイト、サーバ、又は他の遠隔リソースから伝送される場合に、ソフトウェアは、定義されたコンピュータ可読媒体に含まれる。ディスク（disc）及びディスク（disk）には、圧縮ディスク、レーザーディスク、光ディスク、デジタル・バーサタイル・ディスク（Digital  Versatile  Disc，略してＤＶＤ）、フロッピーディスク、及びブルーレイディスクが含まれる。diskは、一般に、磁気的な手段によってデータをコピーし、discは、一般的に、レーザー手段によって光学的にデータをコピーする。上記の組み合わせもコンピュータ可読媒体に含まれ得る。
【０２６０】
当業者は、上記の例のうちの１つ以上で、本願で記載される機能がハードウェア、ソフトウェア、ファームウェア、又はそれらの任意の組み合わせを使用することによって実装され得ると気付くはずである。機能がソフトウェアによって実装される場合に、それらの機能はコンピュータ可読媒体に記憶されるか、あるいは、コンピュータ可読媒体において１つ以上の命令又はコードとして伝送され得る。コンピュータ可読媒体にはコンピュータ記憶媒体及び通信媒体が含まれ、通信媒体には、コンピュータプログラムが１つの場所から他へ伝送されることを可能にする如何なる媒体も含まれる。記憶媒体は、汎用又は専用のコンピュータがアクセス可能な如何なる利用可能な媒体であってもよい。
【０２６１】
本願の目的、技術的解決法、及び有利な効果は、上記の具体的な実施において詳細に更に説明される。上記の説明は、本願の具体的な実施にすぎず、本願の保護範囲を制限する意図はないことが理解されるべきである。本願の技術的解決法に基づき行われる如何なる変更、等価な置換、又は改善も、本願の保護範囲の中にあるべきである。本願中の本明細書の上記の説明は、本願の内容を使用又は実施することを当業者に可能にすることができる。開示されている内容に基づき行われる如何なる変更も当該技術において自明であると考えられるべきである。本願で記載される基本原理は、本願の本質及び適用範囲から外れることなしに他の変形に適用され得る。従って、本願で開示されている内容は、記載されている実施形態及び設計に制限されず、本願の原理及び本願で開示されている新しい特徴と一致する最大範囲に更に拡張され得る。
【図１】
0006852184.tif 000003
【図２（ａ）】
0006852184.tif 000004
【図２（ｂ）】
0006852184.tif 000005
【図３（ａ）】
0006852184.tif 000006
【図３（ｂ）】
0006852184.tif 000007
【図４】
0006852184.tif 000008
【図５】
0006852184.tif 000009
【図６（ａ）】
0006852184.tif 000010
【図６（ｂ）】
0006852184.tif 000011
【図７】
0006852184.tif 000012
【図８】
0006852184.tif 000013
【図９】
0006852184.tif 000014
【図１０】
0006852184.tif 000015